(57)【要約】【課題】端末（ｕｓｅｒ  ｅｑｕｉｐｍｅｎｔ、ＵＥ）が行うアップリンクメッセージを送信する方法が提供される。【解決手段】上記方法は、端末が訪問セル履歴に関する要求メッセージを受信するステップと、端末が、要求に応答して訪問セル履歴を伝送するステップを含むことができる。訪問セル履歴は、現在のセルに該当する時間情報を含むことができる。【選択図】図１０
2016521086.tif 000002
【特許請求の範囲】
【請求項１】
端末がアップリンクメッセージを送信する方法であって、
前記端末が訪問セル履歴に関する要求メッセージを受信するステップと、
前記端末が要求に応答して前記訪問セル履歴を送信するステップとを含み、
セル訪問履歴は現在のセルに対応する時間情報を含む、方法。
【請求項２】
前記訪問セル履歴は、前記現在のセルの識別子を含む、請求項１に記載の方法。
【請求項３】
前記時間情報は、前記端末が前記現在のセルで費やした時間を指示する、請求項１に記載の方法。
【請求項４】
前記現在のセルの識別子は、訪問セルの識別子と見なされる、請求項１に記載の方法。
【請求項５】
前記時間情報は、前記端末が前記要求メッセージを受信するまで費やした時間を指示する、請求項１に記載の方法。
【請求項６】
前記現在のセルは、１次セルである、請求項１に記載の方法。
【請求項７】
アップリンクメッセージを伝送する無線装置であって、
訪問セル履歴に関する要求メッセージを受信するように構成された送受信機と、
前記送受信機が要求に応答して前記訪問セル履歴を送信するよう制御するように構成されたプロセッサとを含み、
セル訪問履歴は、現在のセルに対応する時間情報を含む、無線装置。
【請求項８】
前記訪問セル履歴は、前記現在のセルの識別子を含む、請求項７に記載の無線装置。
【請求項９】
前記時間情報は、端末が現在のセルで費やした時間を指示する、請求項７に記載の無線装置。
【請求項１０】
前記現在のセルの識別子は、訪問セルの識別子と見なされる、請求項７に記載の無線装置。
【請求項１１】
前記時間情報は、端末が要求メッセージを受信するまで費やす時間を指示する、請求項７に記載の無線装置。
【請求項１２】
前記現在のセルは、１次セルである、請求項７に記載の無線装置。
【発明の詳細な説明】
【技術分野】
【０００１】
本発明は無線通信に関し、より詳しくは、セル訪問履歴伝送方法及びその無線装備に関する。
【背景技術】
【０００２】
３ＧＰＰ（３ｒ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上したバージョンであり、３ＧＰＰリリース（ｒｅｌｅａｓｅ）８として紹介されている。３ＧＰＰ  ＬＴＥは、最大４つのアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近は、３ＧＰＰ  ＬＴＥから進化した３ＧＰＰ  ＬＴＥ−Ａ（ＬＴＥ−Ａｄｖａｎｃｅｄ）に関する論議が進行している。
【０００３】
ＬＴＥ／ＬＴＥ−Ａにおいて、端末が複数のセルを通じて移動すると、端末は、アイドルモードでは選択／再選択手順を行ったり、連結モードではハンドオーバ手順を行う。
【０００４】
このような状況では、ネットワークが端末の速度を判断する必要がある。しかし、ネットワークが端末の速度を推定できる方法が存在していない。
【発明の概要】
【発明が解決しようとする課題】
【０００５】
そこで、本発明の目的は、ネットワークが端末の速度を推定できるようにすることである。
【課題を解決するための手段】
【０００６】
上記及び他の効果を得るため、そして本発明の目的によって、ここで具体化され広範囲に説明されたように、端末が訪問セルに対する蓄積された情報である訪問セル履歴をログ(log)するようにし、ＲＲＣ連結設定時またはその後にネットワークに訪問セル履歴を提供することで、ネットワークが端末の速度を推定することを支援することのできる解決方法が提供される。役立つ情報は端末が訪問セルで対やする時間情報であり得る。
【０００７】
より詳しくは、上記及び他の効果を得るため、そして本発明の目的によって、ここで具体化され広範囲に説明されたように、端末（ＵＥ）が行うアップリンクメッセージを伝送する方法が提供される。上記方法は端末が訪問セル履歴に関する要求メッセージを受信するステップと、端末は要求に応答して訪問セル履歴を伝送するステップを含むことができる。訪問セル履歴は、現在のセルに該当する時間情報を含むことができる。
【０００８】
訪問セル履歴は、現在のセルの識別子をさらに含むことができる。
【０００９】
時間情報は、端末が現在のセルで費やした時間を指示することができる。
【００１０】
現在のセルの識別子は、訪問セルの識別子と見なされることができる。
【００１１】
時間情報は、端末が要求メッセージを受信するまで費やした時間を指示することができる。
【００１２】
現在のセルは、１次セルであることができる。
【００１３】
上記及び他の効果を得るため、そして本発明の目的によって、ここで具体化され広範囲に説明されたように、アップリンクメッセージを伝送する無線装置が提供される。上記無線装置は、訪問セル履歴に関する要求メッセージを受信するように構成された送受信機と、送受信機が要求に応答して訪問セル履歴を送信するよう制御するように構成されたプロセッサを含むことができる。訪問セル履歴は、現在のセルに該当する時間情報を含むことができる。
【発明の効果】
【００１４】
本発明の開示によれば、上述した問題が解決されることができる。
【図面の簡単な説明】
【００１５】
【図１】本発明が適用される無線通信システムを示す。
【図２】ユーザ平面に対する無線プロトコル構造を示す図である。
【図３】制御平面に対する無線プロトコル構造を示す図である。
【図４】３ＧＰＰ  ＬＴＥ−Ａ用の搬送波集成を使用する広帯域システムの一例を示す。
【図５】ＲＲＣ＿ＩＤＬＥにおける状態及び状態の変化、そして手順を示す。
【図６】ＲＲＣ＿ＩＤＬＥにおける端末の動作の一例を示す。
【図７ａ】イントラＭＭＥ／サービングゲートウェイのハンドオーバ手順を示す。
【図７ｂ】イントラＭＭＥ／サービングゲートウェイのハンドオーバ手順を示す。
【図８】端末情報報告手順を示す流れ図である。
【図９】端末が複数のセルにおいてハンドオーバ手順を行う例示的な状況を示す。
【図１０】本発明による例示的な解決方法を示す。
【図１１】本発明の実施形態を具現することができる無線通信システムを示すブロック図である。
【発明を実施するための形態】
【００１６】
本発明の好ましい実施形態について具体的に説明し、その例は添付された図面に示す。本発明の概念と範囲を超えない限り、多様な修正及び変更が可能であるということが本発明の属する技術分野における従事者には自明なはずである。そこで、修正及び変更は添付された請求項及びその同等な範囲内で行われる限り、本発明は発明の修正及び変更をカバーするように意図される。
【００１７】
添付された図面を参考しながら、実施形態によるセル訪問履歴送信方法及びその無線装置について詳しく説明する。
【００１８】
本発明は、ＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）及びＥＰＣ（ｅｖｏｌｖｅｄ  ｐａｃｋｅｔ  ｃｏｒｅ）を基に説明される。しかし、本発明はこのような通信システムに制限されることはなく、本発明の技術的精神が適用される全ての種類の通信システム及び方法に適用されることもできる。
【００１９】
ここで使用される技術的用語は、特定の実施形態を説明するために使用されるだけであり、本発明を制限するのに使用されないということに注目しなければならない。また、特別に異ならせてに定義されない限り、ここで使用される技術的用語は本発明の属する分野における従事者が一般的に理解できるように解釈されなければならないが、広範囲過ぎたり、狭小過ぎるように解釈されてはならない。また、ここで使用される技術的用語は、本発明の精神を正確に表現できない間違った用語である場合、その用語は本発明の分野に属する従事者が適切に理解できるよう、技術的用語に取り替えなければならない。そして、本発明で使用される一般的な用語は、辞典の定義及び文脈に基づいて解釈されなければならず、広範囲過ぎたり、狭小過ぎるように解釈されてはならない。
【００２０】
しかし、そうでなく明らかに使用されていなければ、単数の表現は複数の意味を含む。本出願において、「含む」及び「有する」という用語は、ここに開示された全ての要素またはステップを必須に含むことと解釈されてはならず、要素またはステップの一部を含まないと解釈されなければならないか、別途の要素またはステップをさらに含むことと解釈されなければならない。
【００２１】
第１、第２などのように序数を含む、ここで使用される用語は、多様な構成要素を説明するのに使用されることができるが、上記構成要素は上記用語によって限定されることはない。上記用語は１つの構成要素を他の構成要素から区別する目的のみで使用される。例えば、第１構成要素は第２構成要素に命名されることができ、類似するように第２構成要素は第１構成要路に命名されることができる。
【００２２】
ある構成要素が他の構成要素に「連結されて」いたり、「接続されて」いる場合には、その他の構成要素に直接的に連結されていたり、または接続されていることもあり得るが、中間に他の構成要素が存在することもある。これに対し、ある構成要素が他の構成要素に「直接連結されて」いたり、「直接接続されて」いる場合には、中間に他の構成要素が存在しないことと理解されなければならない。
【００２３】
以下、本発明の好ましい実施形態を添付された図面を参照しながら詳しく説明し、図面符号と関係なく同一または類似した構成要素は同一な参照符号を与え、その重複説明は省略する。また、本発明の説明において、本発明が属する公知no技術に対する特定説明が本発明の要旨を曖昧にさせると判断されれば、詳しい説明は省略する。また、添付された図面は、本発明の精神を容易に説明するために示すだけであるという事実に注目しなければならず、本発明の図面によって本発明の精神を制限することと解釈されてはならない。本発明の精神は、添付された図面と他の全ての変更、同等物及び代替物まで拡張されることと解釈されなければならない。
【００２４】
添付された図面には端末（ｕｓｅｒ  ｅｑｕｉｐｍｅｎｔ、ＵＥ）が例示されるが、端末は、端末（ｔｅｒｍｉｎａｌ）、移動装備（ｍｏｂｉｌｅ  ｅｑｕｉｐｍｅｎｔ、ＭＥ）、移動局（ｍｏｂｉｌｅ  ｓｔａｔｉｏｎ、ＭＳ）、ユーザ端末（ｕｓｅｒ  ｔｅｒｍｉｎａｌ、ＵＴ）、加入者局（ｓｕｂｓｃｒｉｂｅｒ  ｓｔａｔｉｏｎ、ＳＳ）、無線装置（ｗｉｒｅｌｅｓｓ  ｄｅｖｉｃｅ、ＷＤ）、携帯装置（ｈａｎｄｈｅｌｄ  ｄｅｖｉｃｅ、ＨＤ）、接続端末（ａｃｃｅｓｓ  ｔｅｒｍｉｎａｌ、ＡＴ）などの用語で称することができる。そして、端末は、ノートパンコン、携帯電話、ＰＤＡ、スマートフォン、マルチメディア装置などのような携帯装置またはＰＣまたは車両装着装置のような非携帯装置として具現されることができる。  
【００２５】
図１は、本発明が適用される無線通信システムを示す。
【００２６】
無線通信システムはまたＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）またはＬＴＥ（Ｌｏｎｇ  Ｔｅｒｍ  Ｅｖｏｌｕｔｉｏｎ）／ＬＴＥ−Ａシステムとも呼ばれることができる。
【００２７】
Ｅ−ＵＴＲＡＮは、少なくとも端末（１０；Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）とを提供する基地局（２０；Ｂａｓｅ  Ｓｔａｔｉｏｎ、ＢＳ）を含む。端末（１０）は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線器機（Ｗｉｒｅｌｅｓｓ  Ｄｅｖｉｃｅ）など他の用語で呼ばれることができる。基地局（２０）は、端末（１０）と通信する固定された局（ｆｉｘｅｄ  ｓｔａｔｉｏｎ）を言い、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など他の用語で呼ばれることができる。
【００２８】
基地局（２０）は、Ｘ２インターフェースを通じて互いに連結されることができる。基地局（２０）は、Ｓ１インターフェースを通じてＥＰＣ（Ｅｖｏｌｖｅｄ  Ｐａｃｋｅｔ  Ｃｏｒｅ、３０）、より詳しくは、Ｓ１−ＭＭＥを通じてＭＭＥ（Ｍｏｂｉｌｉｔｙ  Ｍａｎａｇｅｍｅｎｔ  Ｅｎｔｉｔｙ）と、Ｓ１−Ｕを通じてＳ−ＧＷ（Ｓｅｒｖｉｎｇ  Ｇａｔｅｗａｙ）と連結される。
【００２９】
ＥＰＣ（３０）は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に使用される。Ｓ−ＧＷは、Ｅ−ＵＴＲＡＮを終端点として有するゲートウェイである。Ｐ−ＧＷは、ＰＤＮを終端点として有するゲートウェイである。
【００３０】
端末とネットワークとの間の無線インターフェースプロトコル（Ｒａｄｉｏ  Ｉｎｔｅｒｆａｃｅ  Ｐｒｏｔｏｃｏｌ）の層は、通信システムにおいて広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３層を基にＬ１（第１層）、Ｌ２（第２層）、Ｌ３（第３層）に区分されることができる。この中で第１層に属する物理層は、物理チャンネル（Ｐｈｙｓｉｃａｌ  Ｃｈａｎｎｅｌ）を用いた情報伝送サービス（Ｉｎｆｏｒｍａｔｉｏｎ  Ｔｒａｎｓｆｅｒ  Ｓｅｒｖｉｃｅ）を提供し、第３層に位置するＲＲＣ（Ｒａｄｉｏ  Ｒｅｓｏｕｒｃｅ  Ｃｏｎｔｒｏｌ）層は、端末とネットワークとの間に無線資源を制御する役割を行う。このために、ＲＲＣ層は、端末と基地局間のＲＲＣメッセージを交換する。
【００３１】
図２は、ユーザ平面に対する無線プロトコル構造を示す図である。図３は、制御平面に対する無線プロトコル構造を示す図である。
【００３２】
ユーザ平面は、ユーザデータ伝送のためのプロトコルスタック（ｐｒｏｔｏｃｏｌ  ｓｔａｃｋ）である。制御平面は、制御信号伝送のためのプロトコルスタックである。
【００３３】
図２及び３を参照すると、物理層（ＰＨＹ（ｐｈｙｓｉｃａｌ）  ｌａｙｅｒ）は、物理チャンネル（ｐｈｙｓｉｃａｌ  ｃｈａｎｎｅｌ）を用いて上位層に情報伝送サービス（ｉｎｆｏｒｍａｔｉｏｎ  ｔｒａｎｓｆｅｒ  ｓｅｒｖｉｃｅ）を提供する。物理層は、上位層であるＭＡＣ（Ｍｅｄｉｕｍ  Ａｃｃｅｓｓ  Ｃｏｎｔｒｏｌ）層とは伝送チャンネル（ｔｒａｎｓｐｏｒｔ  ｃｈａｎｎｅｌ）を通じて連結されている。伝送チャンネルを通じてＭＡＣ層と物理層との間でデータが移動する。伝送チャンネルは、無線インターフェースを通じてデータがどのようにどのような特徴で伝送されるかによって分類される。
【００３４】
互いに異なる物理層の間、即ち送信機と受信機との物理層の間では、物理チャンネルを通じてデータが移動する。前記物理チャンネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線資源として活用する。
【００３５】
ＭＡＣ層の機能は、論理チャンネルと伝送チャンネル間のマッピング、及び論理チャンネルに属するＭＡＣ  ＳＤＵ（ｓｅｒｖｉｃｅ  ｄａｔａ  ｕｎｉｔ）の伝送チャンネル上に物理チャンネルに提供される伝送ブロック（ｔｒａｎｓｐｏｒｔ  ｂｌｏｃｋ）への多重化／逆多重化を含む。ＭＡＣ層は、論理チャンネルを通じてＲＬＣ（Ｒａｄｉｏ  Ｌｉｎｋ  Ｃｏｎｔｒｏｌ）層にサービスを提供する。
【００３６】
ＲＬＣ層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するため、ＲＬＣ層は透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３つの動作モードを提供する。ＡＭ  ＲＬＣは、ＡＲＱ（ａｕｔｏｍａｔｉｃ  ｒｅｐｅａｔ  ｒｅｑｕｅｓｔ）を通じて誤謬訂正を提供する。
【００３７】
ユーザ平面におけるＰＤＣＰ（Ｐａｃｋｅｔ  Ｄａｔａ  Ｃｏｎｖｅｒｇｅｎｃｅ  Ｐｒｏｔｏｃｏｌ）層の機能は、ユーザデータの伝達、ヘッダ圧縮及び暗号化を含む。制御平面におけるＰＤＣＰ層の機能は、制御平面データの伝達及び暗号化／無欠性保護を含む。
【００３８】
ＲＲＣ（Ｒａｄｉｏ  Ｒｅｓｏｕｒｃｅ  Ｃｏｎｔｒｏｌ）層は、制御平面でのみ定義される。ＲＲＣ層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャンネル、伝送チャンネル及び物理チャンネルの制御を担当する。ＲＢは、端末とネットワーク間のデータ伝達のために第１層（ＰＨＹ層）及び第２層（ＭＡＣ層、ＲＬＣ層、ＰＤＣＰ層）によって提供される論理的経路を意味する。
【００３９】
ＲＢが設定されるということは、特定サービスを提供するために無線プロトコル層及びチャンネルの特性を規定し、それぞれの具体的なパラメータ及び動作方法を設定する過程を意味する。ＲＢはさらにＳＲＢ（Ｓｉｇｎａｌｉｎｇ  ＲＢ）とＤＲＢ（Ｄａｔａ  ＲＢ）との２つに分けることができる。ＳＲＢは、制御平面においてＲＲＣメッセージを伝送する通路として使用される。ＤＲＢは、ユーザ平面においてユーザデータを伝送する通路として使用される。
【００４０】
端末のＲＲＣ層とＥ−ＵＴＲＡＮのＲＲＣ層との間にＲＲＣ連結（ＲＲＣ  Ｃｏｎｎｅｃｔｉｏｎ）が確立されると、端末はＲＲＣ連結（ＲＲＣ  ｃｏｎｎｅｃｔｅｄ）状態になり、そうでない場合、ＲＲＣアイドル（ＲＲＣ  ｉｄｌｅ）状態になる。
【００４１】
ダウンリンク伝送チャンネルを通じてネットワークから端末にデータが伝送される。ダウンリンク伝送チャンネルの例として、システム情報を伝送するＢＣＨ（Ｂｒｏａｄｃａｓｔ  Ｃｈａｎｎｅｌ）と、その他にユーザトラフィックや制御メッセージを伝送するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを通じて伝送することもでき、あるいは別途のダウンリンクＭＣＨ（Ｍｕｌｔｉｃａｓｔ  Ｃｈａｎｎｅｌ）を通じて伝送することもできる。アップリンク伝送チャンネルを通じて端末からネットワークにデータが伝送される。アップリンク伝送チャンネルの例として、初期制御メッセージを伝送するＲＡＣＨ（Ｒａｎｄｏｍ  Ａｃｃｅｓｓ  Ｃｈａｎｎｅｌ）と、その他にユーザトラフィックや制御メッセージを伝送するアップリンクＳＣＨ（Ｓｈａｒｅｄ  Ｃｈａｎｎｅｌ）がある。
【００４２】
伝送チャンネルの上位にあり、伝送チャンネルにマッピングされる論理チャンネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４３】
物理チャンネル（Ｐｈｙｓｉｃａｌ  Ｃｈａｎｎｅｌ）は、時間領域において複数のＯＦＤＭシンボルと周波数領域において複数の副搬送波（Ｓｕｂ−ｃａｒｒｉｅｒ）とで構成される。１つのサブフレーム（Ｓｕｂ−ｆｒａｍｅ）は、時間領域において複数のＯＦＤＭシンボル（Ｓｙｍｂｏｌ）で構成される。資源ブロックは資源の割り当て単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャンネルのために該当サブフレームの特定ＯＦＤＭシンボル（例えば、１つ目のＯＦＤＭシンボル）の特定の副搬送波を用いることができる。ＴＴＩ（Ｔｒａｎｓｍｉｓｓｉｏｎ  Ｔｉｍｅ  Ｉｎｔｅｒｖａｌ）は、サブフレーム伝送の単位時間である。
【００４４】
以下、端末のＲＲＣ状態（ＲＲＣ  ｓｔａｔｅ）とＲＲＣ連結方法について詳述する。
【００４５】
ＲＲＣ状態とは、端末のＲＲＣ層がＥ−ＵＴＲＡＮのＲＲＣ層と論理的連結（ｌｏｇｉｃａｌ  ｃｏｎｎｅｃｔｉｏｎ）がなされているか否かを言う。２つの層が互いに連結されている場合はＲＲＣ連結状態、２つの層が互いに連結されていない場合はＲＲＣアイドル状態と呼ぶ。ＲＲＣ連結状態の端末は、ＲＲＣ連結が存在するため、Ｅ−ＵＴＲＡＮは該当端末の存在をセル単位で把握することができる。従って、端末は効果的に制御することができる。これに対し、ＲＲＣアイドル状態の端末はＥ−ＵＴＲＡＮが把握することはできず、セルよりさらに大きな地域単位であるトラッキング領域単位でＣＮ（ｃｏｒｅ  ｎｅｔｗｏｒｋ）が管理する。即ち、ＲＲＣアイドル状態の端末は大きな地域単位で存在有無のみが把握される。音声やデータのような通常の移動通信サービスを受けるためには、ＲＲＣ連結状態に移動しなければならない。
【００４６】
ユーザが端末の電源を最初につけた際、端末は先ず適切なセルを探索した後、該当セルにおいてＲＲＣアイドル状態に留まる。ＲＲＣアイドル状態の端末は、ＲＲＣ連結を結ぶ必要がある際のみに初めてＲＲＣ連結過程を通じてＥ−ＵＴＲＡＮとＲＲＣ連結を確立し、ＲＲＣ連結状態に移行する。ＲＲＣアイドル状態にあった端末がＲＲＣ連結を結ぶ必要がある場合は様々あり、例えばユーザの通話の試みなどの理由でアップデータの伝送が必要になったり、それともＥ−ＵＴＲＡＮから呼出（ｐａｇｉｎｇ）メッセージを受信した場合にこれに対する応答メッセージの伝送などを挙げることができる。
【００４７】
ＲＲＣ層の上位に位置するＮＡＳ（Ｎｏｎ−Ａｃｃｅｓｓ  Ｓｔｒａｔｕｍ）層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００４８】
それでは、無線リンク失敗について説明する。
【００４９】
端末は、サービスを受信するサービングセルとの無線リンクの品質維持のために持続的に測定を行う。端末は、サービングセルとの無線リンクの品質悪化によって現在状況で通信が不可能であるか否かを決定する。もしサービングセルの品質が低すぎて通信が殆ど不可能な場合、端末は現在状況を無線連結失敗と決定する。
【００５０】
もし無線リンク失敗が決定すると、端末は現在のサービングセルとの通信維持を諦め、セル選択（またはセル再選択）手順を通じて新たなセルを選択し、新たなセルへのＲＲＣ連結再確立を試みる。
【００５１】
図４は、３ＧＰＰ  ＬＴＥ−Ａ用の搬送波集成を使用する広帯域システムの一例を示す。
【００５２】
成分搬送波（ＣＣ）は、その時の搬送波集成システムで使用される搬送波を意味し、簡単に搬送波と呼ばれることができる。
【００５３】
図４を参照すると、各成分搬送波（ＣＣ）は、３ＧＰＰ  ＬＴＥの帯域幅である２０ＭＨｚの帯域幅を有する。最大５つのＣＣが集成されることができ、１００ＭＨｚの最大帯域幅が構成されることができる。
【００５４】
搬送波集成システムは、集成搬送波が隣接する隣接搬送波集成システムと、集成された搬送波が互いに離れている非隣接搬送波集成システムとに分類することができる。以下、簡単に搬送波集成システムと称すれば、成分搬送波が隣接した場合と制御チャンネルが非隣接する場合との全てを含むものと理解される必要がある。
【００５５】
１つ以上の成分搬送波が集成されると、成分搬送波は既存システムとの後方互換(backward compatibility)のための既存システムから採択された帯域幅を使用することができる。例えば、３ＧＰＰ  ＬＴＥシステムは１．４ＭＨｚ、３ＭＨｚ、５ＭＨｚ、１０ＭＨｚ、１５ＭＨｚ及び２０ＭＨｚの帯域幅を支援し、３ＧＰＰ  ＬＴＥ−Ａシステムは３ＧＰＰ  ＬＴＥシステムの帯域幅を使用して２０ＭＨｚ以上の広帯域を構成することができる。または、既存システムの帯域幅を使用するよりは、新たな帯域幅が広帯域を構成するように定義することができる。
【００５６】
無線通信システムのシステム周波数帯域は、複数の搬送波周波数に分離される。ここで、搬送波周波数はセルのセル周波数を意味する。以下、セルはダウンリンク周波数資源及びアップリンク周波数資源を意味する。また、セルはダウンリンク周波数資源及び選択的アップリンク周波数資源の組み合わせであると言える。また、搬送波集成が考慮されない一般的な場合に、１つのセルは常にアップリンク周波数資源及びダウンリンク周波数資源の対を有することができる。
【００５７】
セルは、１次セル及び２次セル、そしてサービングセルに分類することができる。
【００５８】
１次セルは、１次周波数で動作するセルを意味する。１次セルは、端末が基地局と初期連結確立手順または連結再確立手順を行うセルであるか、ハンドオーバ過程で１次セルとして指定されたセルである。
【００５９】
２次セルは、２次周波数で動作するセルを意味する。２次セルは、一旦ＲＲＣ連結が確立されると構成され、別途の無線資源を提供するのに使用される。
【００６０】
サービングセルは、搬送波集成が構成されない場合や端末が搬送波集成を提供しない場合に１次セルで構成される。搬送波集成が構成される場合、「サービングセル」という用語は端末に構成されるセルを示し、複数のサービングセルが含まれることができる。１つのサービングセルは１つのダウンリンク成分搬送波または一対の成分搬送波（ダウンリンク成分搬送波とアップリンク成分搬送波）で構成される。複数のサービングセルは、１次セルと１つ以上の全ての２次セルで構成されることができる。
【００６１】
１次成分搬送波（ＰＣＣ）は、１次セルに該当する成分搬送波（ＣＣ）を意味する。ＰＣＣは、複数のＣＣのうち、端末が初期に基地局と連結またはＲＲＣ連結をなすＣＣである。ＰＣＣは、複数のＣＣに関するシグナリングのための連結またはＲＲＣ連結を担当し、端末と係わる連結情報である端末状況情報（ＵＥ状況）を管理する特殊なＣＣである。また、ＰＣＣは端末と連結をなし、ＰＣＣは常にＲＲＣ連結モードである際に活性状態で維持される。１次セルに該当するダウンリンク成分搬送波はダウンリンク１次成分搬送波（ＤＬ  ＰＣＣ）と示し、１次セルに該当するアップリンク成分搬送波はアップリンク１次成分搬送波（ＵＬ  ＰＣＣ）と示す。
【００６２】
２次成分搬送波（ＳＣＣ）は、２次セルに該当するＣＣを意味する。即ち、ＳＣＣは端末に割り当てられ、ＰＣＣ以外に端末が追加の資源割り当てを行うように拡張された搬送波であるＰＣＣとは異なるＣＣである。ＳＣＣは活性状態または非活性状態で維持されることができる。２次セルに該当するダウンリンク成分搬送波はダウンリンク２次成分搬送波（ＤＬ  ＳＣＣ）と示し、２次セルに該当するアップリンク成分搬送波はアップリンク２次成分搬送波（ＵＬ  ＳＣＣ）と示す。
【００６３】
１次セル及び２次セルは、次のような特性を有する。
【００６４】
第１に、１次セルはＰＵＣＣＨの伝送に使用される。第２に、１次セルは２次セルが特定条件によって活性化／非活性化され得る間、常に活性化状態で維持される。第３に、１次セルが無線リンク失敗（以下、「ＲＬＦ」）を経験した場合、ＲＲＣ再連結がトリガされる。第４に、１次セルはＲＡＣＨ（ｒａｎｄｏｍ  ａｃｃｅｓｓ  ｃｈａｎｎｅｌ）手順を含むハンドオーバ手順または保安キーの変更によって異なる。第５に、ＮＡＳ（ｎｏｎ−ａｃｃｅｓｓ  ｓｔｒａｔｕｍ）情報は１次セルを通じて受信される。第６に、ＦＤＤシステムにおいて、１次セルは常にＤＬ  ＰＣＣ及びＵＬ  ＰＣＣの対を有する。第７に、他の成分搬送波（ＣＣ）は各端末において１次セルに設定される。第８に、１次セルはハンドオーバまたはセル選択／セル再選択手順を通じてのみ交替することができる。新たなサービングセルを追加する際、ＲＲＣシグナリングは専用サービングセルのシステム情報を送信するのに使用される。
【００６５】
サービングセルを構成する場合、ダウン成分搬送波は１つのサービングセルを形成することができるか、ダウンリンク成分搬送波及びアップリンク成分搬送波は連結されて１つのサービングセルを構成する。しかし、サービングセルは１つのアップリンク成分搬送波単独で構成されることはない。
【００６６】
成分搬送波の活性化／非活性化は概念的にサービングセルの活性化／非活性化と同一である。例えば、サービングセル１がＤＬ  ＣＣ１で構成されると仮定すれば、サービングセル１はＤＬ  ＣＣ１の活性化を意味しない。サービングセル２がＤＬ  ＣＣ２とＵＬ  ＣＣ２を連結して構成されれば、サービングセル２の活性化はＤＬ  ＣＣ２とＵＬ  ＣＣ２の活性化／非活性化を意味する。このような意味で、各成分搬送波はサービングセルに該当することができる。
【００６７】
図５は、ＲＲＣ＿ＩＤＬＥにおける状態及び状態の変化、そして手順を示す。
【００６８】
端末は、セル選択及び再選択の目的で測定を行う。ＮＡＳは例えば、選択されたＰＬＭＮと結合したＲＡＴを指示したり、禁止された登録領域のリスト及び同等なＰＬＭＮのリストを維持することで、セル選択が行わなければならないＲＡＴを制御することができる。端末は、アイドルモード測定及びセル選択基準を基に適切なセルを選択する。
【００６９】
セル選択の過程を加速化するため、複数のＲＡＴに対する保存された情報は端末で使用されることができる。
【００７０】
セル進入の際、端末はセル選択の基準によってより優れたセルを定期的に検索することができる。より優れたセルが発見されれば、該当セルが選択される。セルの変更はＲＡＴの変更を意味し得る。セル再選択に対する性能要求事項は［１０］にて詳しく分かることができる。
【００７１】
セル選択及び再選択がＮＡＳに係わる受信システム情報を変更させるということが分かっている。
【００７２】
正常なサービスのために、端末は適当なセルに進入して次を行うことができるようにセルの制御チャンネルに同調することができる。
【００７３】
−ＰＬＭＮからシステム情報を受信。
−ＰＬＭＮから登録領域情報、例えば、追跡領域情報を受信。
−他のＡＳ及びＮＡＳ情報を受信。
【００７４】
−登録された場合、
−ＰＬＭＮから呼出及び通報メッセージを受信。
−連結モードへの伝送初期化。
【００７５】
一方、図５を参照すると、新たなＰＬＭＮ選択がどこで行われても１番に出るようになる。
【００７６】
図６は、ＲＲＣ＿ＩＤＬＥにおける端末の動作の一例を示す。
【００７７】
端末が初期につけられた後、必要であれば、セル選択を通じてネットワークを登録し、セル再登録を行う手順が図６に示されている。
【００７８】
図６を参照すると、端末は、端末がステップＳ５０においてサービスを受けたいＰＬＭＮと通信するＲＡＴ（ｒａｄｉｏ  ａｃｃｅｓｓ  ｔｅｃｈｎｏｌｏｇｙ）を選択する。ＰＬＭＮ及びＲＡＴに対する情報は端末によって選択されることができる。端末はＵＳＩＭ（ｕｎｉｖｅｒｓａｌ  ｓｕｂｓｃｒｉｂｅｒ  ｉｄｅｎｔｉｔｙ  ｍｏｄｕｌｅ）に保存された情報を使用することができる。
【００７９】
端末は、ステップＳ５１において、所定の値よりも高い品質を有する測定されたＢＳ及びセルのうち最も高いセルを選択する。このような手順は初期セル選択手順と言い、動作中の端末によって行われる。セル選択手順は後述する。セル選択の後、端末は、周期的にＢＳからシステム情報を受信する。所定の値はデータ送信／受信の際に物理的信号品質を確保する通信システムに定義された値である。従って、所定の値は各所定の値が適用されるＲＡＴによって変わる。
【００８０】
端末は、ステップＳ５２において、ネットワーク登録手順を行うか否かを決定する。端末は、ステップＳ５３において、ネットワーク登録手順を行う。端末は、ネットワークによってサービスされる自己情報（例えば、ＩＭＳＩ）を登録する（例えば、呼出）。端末は、セルを選択する度に自己情報を登録する。ネットワークに関する端末の自体（独自の）情報(own information)、例えば、トラッキング領域アイデンティティ（ＴＡＩ）がシステム情報から提供されたネットワークに関する情報と異なる場合に、端末はネットワーク登録手順を行う。
【００８１】
端末にサービスを提供するＢＳから測定された信号強度または信号品質の値が隣り合うセルのＢＳから測定された値よりも小さければ、端末は、端末にサービスを提供するよりも優れた信号特性を提供する他のセルのうち１つを選択することができる。このような手順は初期セル選択手順から区別された初期セル再選択手順と言う。信号特性の変化によって端末が頻繁にセル再選択手順を行うことを防止するための時間的な制約が存在し得る。セル再選択手順は後述する。
【００８２】
端末は、ステップＳ５４において、セル再選択手順を行う。セル再選択手順は後述する。新たなセルが選択されれば、端末は、ステップＳ５２において説明された手順を行うことができる。新たなセルが選択されなければ、端末は、セル再選択手順を再度行うことができる。
【００８３】
セル選択手順を詳しく説明する。
【００８４】
端末がつけられたり、セルに進入すると、端末は、適当な品質を有するセルを選択してサービスを受けるように手順を行うことができる。
【００８５】
ＲＲＣ＿ＩＤＬＥの端末は、常に適当な品質を有するセルを選択し、セルを通じてサービスを受けるように準備する必要がある。例えば、つけられたばかりの端末は、ネットワークに登録されるように適当な品質を有するセルを選択しなければならない。ＲＲＣ＿ＣＯＮＮＥＣＴＥＤに留まる端末は、ＲＲＣ＿ＩＤＬＥを開始すれば、端末は端末自体が進入するセルを選択しなければならない。このように、ＲＲＣ＿ＩＤＬＥのようなサービス待機状態に留まるよう端末によって特定条件を満たすセルを選択する手順はセル選択と言う。端末はＲＲＣ＿ＩＤＬＥで進入するセルをこれまで決定していない状態でセル選択が行われるので、できるだけ早くセルを選択することが非常に重要である。従って、セルが所定のレベルよりも大きいか同等な無線信号品質を提供すれば、セルは最高の無線信号品質を提供するセルでなくとも、セルはセル選択手順で選択されることができる。
【００８６】
以下、３ＧＰＰ  ＬＴＥにおいて端末がセルを選択する方法及び手順を詳しく説明する。電源が初期につけられると、端末は、有効なＰＬＭＮを検索し、適当なＰＬＭＮを選択してサービスを受ける。次いで、端末は、選択されたＰＬＭＮが提供するセルのうち、適当なサービスを受けることのできる信号品質及び特性を有するセルを選択する。
【００８７】
端末は、次の２つのセル選択手順のうち１つを使用することができる。
【００８８】
１）初期セル選択：このような手順は、ＲＦチャンネルがＥ−ＵＴＲＡ搬送波であるという事前知識を必要としない。端末は、適当なセルを探すため、性能によってＥ−ＵＴＲＡ帯域で全てのＲＦチャンネルをスキャンすることができる。各搬送波周波数において、端末は最も強力なセルの検索のみを必要とする。一旦適当なセルが発見されれば、該当セルが選択されることができる。
【００８９】
２）保存された情報セル選択：この手順は、保存された搬送波周波数情報を必要とし、且つ、予め受信された測定制御情報要素または予め探知されたセルから選択的にセルパラメータに対する情報を必要とする。一旦端末が適当なセルを発見すれば、端末は発見したセルを選択することができる。一旦適当なセルが発見されなければ、初期セル選択手順が開始されることができる。
【００９０】
セル選択過程において、端末が使用するセル選択基準（Ｓ）は、次のように表すことができる。
【００９１】
【数１】
2016521086.tif 000003
ｗｈｅｒｅ：  Ｓｒｘｌｅｖ  ＝  Ｑｒｘｌｅｖｍｅａｓ  −  （Ｑｒｘｌｅｖｍｉｎ  ＋  Ｑｒｘｌｅｖｍｉｎｏｆｆｓｅｔ）  −  Ｐｃｏｍｐｅｎｓａｔｉｏｎ
Ｓｑｕａｌ  ＝  Ｑｑｕａｌｍｅａｓ  −  （Ｑｑｕａｌｍｉｎ  ＋  Ｑｑｕａｌｍｉｎｏｆｆｓｅｔ）
【００９２】
【表１】
2016521086.tif 000004
【００９３】
正常にＶＰＬＭＮに進入しながら、セルはより高い優先順位のＰＬＭＮの周期的検索の結果としてセル選択に対して評価する場合、シグナリング値Ｑｒｘｌｅｖｍｉｎｏｆｆｓｅｔ及びＱｑｕａｌｍｉｎｏｆｆｓｅｔは適用されるだけである。このようなより高い優先順位ＰＬＭＮの周期的検索の間、端末はより高い優先順位ＰＬＭＮの他のセルから保存されたパラメータ値を使用するセルのＳ基準を検査する。
【００９４】
セル再選択手順を詳しく説明する。
【００９５】
端末がセル選択手順を通じて特定セルを選択した後、端末と基地局との間の信号強度及び品質は、端末移動性及び無線環境の変化によって変わることができる。従って、選択されたセルの品質が低下すれば、端末はより優れた品質を提供する他のセルを選択することができる。このようにセルが再選択されると、一般的に現在選択されたセルよりも優れた信号品質を提供するセルが選択される。このような手順をセル再選択と言う。セル再選択手順の基本的な目的は、一般的に無線信号品質の観点で端末に最高の品質を提供するセルを選択することである。
【００９６】
無線信号品質の観点と共に、ネットワークは、各周波数別に決定された優先順位を端末に通報することができる。優先順位を受信した端末は、セル再選択手順の過程で無線信号品質基準よりも優先的に決定された優先順位を考慮することができる。
【００９７】
上述したように、無線環境の信号特性を基にセルを選択または再選択する方法がある。セルがセル再選択手順で再選択されると、セルのＲＡＴ及び周波数特性を基に上述したようなセル再選択方法があり得る。
【００９８】
−周波数内セル再選択：再選択されたセルは、端末が現在進入したセルで使用されたものと同一の中心周波数及びＲＡＴを有するセルである。
【００９９】
−周波数間セル再選択：再選択されたセルは、端末が現在進入したセルで使用されたものと同一のＲＡＴ及び他の中心周波数を有するセルである。
【０１００】
−ＲＡＴ内のセル再選択：再選択されたセルは、端末が現在進入したセルで使用されたＲＡＴとは異なるＲＡＴを使用するセルである。
【０１０１】
一般的に、セル再選択手順は以下のようである。
【０１０２】
１）端末は、ＢＳからセル再選択手順に関するパラメータを受信する。
２）端末は、セル再選択のためにサービングセル及び隣り合うセルの品質を測定する。
３）セル再選択手順は、セル再選択基準によって行われる。サービングセル及び隣り合うセルの測定に対するセル再選択基準は、次のような特性を有する。
【０１０３】
−周波数内セル再選択は、基本的にランキングに基づく。ランキングは、セル再選択の評価のための基準値を定義し、基準値を使用して、基準値の大きさに応じてセルを整列する動作である。最高の基準を有するセルを最高ランキングセルと言う。セル基準値は、周波数オフセットまたはセルオフセットが該当セルに対して端末が測定した値を基に選択的に適用される値である。
【０１０４】
−周波数間セル再選択は、ネットワークが提供する周波数順位に基づく。端末は、最高の優先順位を有する周波数で進入を試みる。ネットワークは、ブロードキャストシグナリングを使用してセルで端末に共通して適用される同一の周波数優先順位を与えるか、各端末別で専用シグナリングを使用して各端末に周波数特定優先順位を付えることができる。ブロードキャストシグナリングが与えるセル再選択優先順位を共通優先順位と言う。ネットワークが各端末別で割り当てるセル再選択優先順位を専用優先順位と言う。端末が専用優先順位を受信すると、端末はさらに専用優先順位の有効期間を共に受信する。専用優先順位の受信時、端末が受信された有効期間に設定された有効タイマーを開始する。有効タイマーが作動する間、端末はＲＲＣ＿ＩＤＬＥで専用優先順位を適用する。有効タイマーが満了すると、端末は専用優先順位を削除し、これによって、共通優先順位を適用する。
【０１０５】
−周波数間セル再選択のために、ネットワークは、各周波数別でセル再選択の際に使用するパラメータ（例えば、周波数特定オフセット）を端末に提供することができる。
【０１０６】
−周波数内セル再選択または周波数間セル再選択のために、ネットワークは、セル再選択の際に使用する隣り合うセルリスト（ＮＣＬ）を端末に提供することができる。ＮＣＬは、セル再選択の際に使用されるセル特定パラメータ（例えば、セル特定オフセット）を含む。
【０１０７】
−周波数内または周波数間セル再選択のために、ネットワークは、ブラックリスト、例えば、セル再選択の際に選択されていないセルのリストを端末に提供することができる。端末は、ブラックリストに含まれたセルに対するセル再選択を行う。
【０１０８】
再選択優先順位処理を説明する。３ＧＰＰ  ＴＳ  ３６．３０４  Ｖ１０．５．０  （２０１２−０３）の５．２．４．１節を参照する。
【０１０９】
他のＥ−ＵＴＲＡＮ周波数またはＲＡＴ間周波数の絶対優先順位は、システム情報、ＲＲＣＣｏｎｎｅｃｔｉｏｎＲｅｌｅａｓｅメッセージ、またはＲＡＴ間セル（再）選択において他のＲＡＴから受け継いで端末に提供されることができる。システム情報の場合に、Ｅ−ＵＴＲＡＮ周波数またはＲＡＴ間周波数は、優先順位を与えずに（例えば、ｃｅｌｌＲｅｓｅｌｅｃｔｉｏｎＰｒｉｏｒｉｔｙフィールドは該当周波数で存在しない）列挙されることができる。優先順位が専用シグナリングで与えられると、端末はシステム情報から提供される全ての優先順位を無視することができる。端末が所定のセル状態に進入すると、端末は、現在のセルからシステム情報が与える優先順位を適用できるだけであり、これとは異なって明示されない場合、専用シグナリングが与えた優先順位を維持する。正常状態に進入した端末が現在の周波数に対して異なる専用周波数のみを有すれば、端末は現在の周波数を最低優先順位周波数（例えば、８つのネットワーク構成値よりも小さい）と見なすことができる。端末が適当なＣＳＧセルに進入した状態で、端末は、該当周波数に割り当てられた何れか異なる優先順位に関係なく、現在の周波数を最高優先順位の周波数（例えば、８つのネットワーク構成値よりも高い）と見なすことができる。端末が関心のあるＭＢＭＳ（ｍｕｌｔｉｍｅｄｉａ  ｂｒｏａｄｃａｓｔ  ｍｕｌｔｉｃａｓｔ  ｓｅｒｖｉｃｅ）が提供される周波数を知っていれば、ＭＢＭＳセッションの間に該当周波数が最高優先順位になると見なすことができる。端末は、次のような場合に専用シグナリングが与える優先順位を削除することができる。
【０１１０】
−端末がＲＲＣ＿ＣＯＮＮＥＣＴＥＤ状態に進入するか、
−専用優先順位の選択的有効時間（Ｔ３２０）が満了するか、
−ＮＡＳの要求によってＰＬＭＮ選択が行われる。
【０１１１】
端末は、システム情報から与えられたＥ−ＵＴＲＡＮ周波数及びＲＡＴ間周波数、そして端末に与えられた優先順位を有することに対するセル再選択評価を行うことができるだけである。端末は、ブラックリストに列挙されたセルもセル再選択のための候補として見なすことができない。端末は、ＲＡＴ間セル（再）選択の際に構成されれば、専用シグナリングが提供した優先順位及び残余有効時間（例えば、Ｅ−ＵＴＲＡでＴ３２０、ＵＴＲＡでＴ３２２、及びＧＥＲＡＮでＴ３２３０）を受け継ぐことができる。
【０１１２】
以下、セル再選択測定規則を説明する。
【０１１３】
再選択の目的で非サービングセルのＳｒｘｌｅｖ及びＳｑｕａｌを評価すると、端末はサービングセルが提供するパラメータを使用する。
【０１１４】
次のような規則は、必要な測定を制限するために端末によって使用されることができる。
【０１１５】
−サービングセルがＳｒｘｌｅｖ＞ＳＩｎｔｒａＳｅａｒｃｈＰ及びＳｑｕａｌ＞ＳＩｎｔｒａＳｅａｒｃｈＱを満たせば、端末は、周波数内測定を行わないように選択することができる。
【０１１６】
−そうでなければ、端末は周波数内測定を行う。
【０１１７】
−端末は、システム情報で指示されたＥ−ＵＴＲＡＮインター周波数及びインターＲＡＴ周波数、そして端末が５．２．４．１で定義されたように与えられた優先順位を有することに対する次のような規則を適用する。
【０１１８】
−現在のＥ−ＵＴＲＡ周波数の再選択優先順位よりも高い再選択優先順位を有するＥ−ＵＴＲＡＮインター周波数及びインターＲＡＴ周波数に対し、端末は、さらに高いＥ−ＵＴＲＡＮインター周波数及びインターＲＡＴ周波数の測定を行う。
【０１１９】
−現在のＥ−ＵＴＲＡ周波数の再選択優先順位と同等あるいはより低い再選択優先順位を有するＥ−ＵＴＲＡＮインター周波数と、現在のＥ−ＵＴＲＡＮの再選択優先順位よりもさらに低い再選択優先順位を有するインターＲＡＴ周波数に対し、
−サービングセルがＳｒｘｌｅｖ＞ＳｎｏｎＩｎｔｒａＳｅａｒｃｈＰ及びＳｑｕａｌ＞ＳｎｏｎＩｎｔｒａＳｅａｒｃｈＱを満たせば、端末は、同等あるいはより低い優先順位のＥ−ＵＴＲＡＮインター周波数またはインターＲＡＴ周波数セルの測定を行わないように選択することができる。
【０１２０】
−そうでなければ、端末は［１０］によって同等あるいはより低い優先順位のＥ−ＵＴＲＡＮインター周波数またはインターＲＡＴ周波数セルの測定を行う。
【０１２１】
ここで、端末の移動性状態に関して説明する。
【０１２２】
パラメータ（ＴＣＲｍａｘ、ＮＣＲ＿Ｈ、ＮＣＲ＿Ｍ  ａｎｄ  ＴＣＲｍａｘＨｙｓｔ）がサービングセルのシステム情報ブロードキャストから伝送されれば、正常移動性状態、高い移動性状態及び中間移動性状態は適用可能である。
【０１２３】
状態感知の基準は、中間移動性状態の基準及び高い移動性状態の基準を含む。
【０１２４】
中間移動性状態の基準：
−ＴＣＲｍａｘ期間の間、セル再選択の個数がＮＣＲ＿Ｍを超え、ＮＣＲ＿Ｈを超えない場合。
【０１２５】
高い移動性状態の基準：
−ＴＣＲｍａｘ期間の間、セル再選択の個数がＮＣＲ＿Ｈを超える場合。
【０１２６】
端末は、同一のセルが１つの他の再選択の直後に再選択されれば、２つの同一のセルの間の連続的な再選択を移動性状態探知の基準として見なさない。
【０１２７】
状態変異の際、端末は、
−高い移動性状態の基準が探知されれば、
−高い移動性状態に進入する。
【０１２８】
−そうでなく、中間移動性状態の基準が探知されれば、
−中間移動性状態に進入する。
【０１２９】
−そうでなく、ＴＣＲｍａｘＨｙｓｔの期間の間、中間または高い移動性状態の基準が探知されなければ、
−正常移動性状態に進入する。
【０１３０】
端末が高いまたは中間移動性状態にあれば、端末は速度依存スケーリング規則を適用する。
【０１３１】
端末は、次のようなスケーリング規則を適用する。
【０１３２】
−中間または高い移動性状態が探知されなければ、
−スケーリングが適用されない。
【０１３３】
−高い移動性状態が探知されれば、
−システム情報上に伝送されれば、Ｑｈｙｓｔに対する速度依存スケーリング因子のｓｆ−ＨｉｇｈをＱｈｙｓｔに追加する。
【０１３４】
−システム情報上に伝送されれば、Ｅ−ＵＴＲＡＮセルはＴｒｅｓｅｌｅｃｔｉｏｎＥＵＴＲＡにＴｒｅｓｅｌｅｃｔｉｏｎＥＵＴＲＡに対する速度依存スケーリング因子のｓｆ−Ｈｉｇｈを掛ける。
【０１３５】
−システム情報上に伝送されれば、ＵＴＲＡＮセルはＴｒｅｓｅｌｅｃｔｉｏｎＵＴＲＡにＴｒｅｓｅｌｅｃｔｉｏｎＵＴＲＡに対する速度依存スケーリング因子のｓｆ−Ｈｉｇｈを掛ける。
【０１３６】
−システム情報上に伝送されれば、ＧＥＲＡＮセルはＴｒｅｓｅｌｅｃｔｉｏｎＧＥＲＡにＴｒｅｓｅｌｅｃｔｉｏｎＧＥＲＡ状態に対する速度依存スケーリング因子のｓｆ−Ｈｉｇｈを掛ける。
【０１３７】
−システム情報上に伝送されれば、ＣＤＭＡ２０００  ＨＲＰＤセルはＴｒｅｓｅｌｅｃｔｉｏｎＣＤＭＡ＿ＨＲＰＤにＴｒｅｓｅｌｅｃｔｉｏｎＣＤＭＡ＿ＨＲＰＤに対する速度依存スケーリング因子のｓｆ−Ｈｉｇｈを掛ける。
【０１３８】
−システム情報上に伝送されれば、ＣＤＭＡ２０００  １ｘＲＴＴセルはＴｒｅｓｅｌｅｃｔｉｏｎＣＤＭＡ＿ＨＲＰＤにＴｒｅｓｅｌｅｃｔｉｏｎＣＤＭＡ＿ＨＲＰＤに対する速度依存スケーリング因子のｓｆ−Ｈｉｇｈを掛ける。
【０１３９】
−中間移動性状態が探知されれば、
−システム情報上に伝送されれば、Ｑｈｙｓｔに対する速度依存スケーリング因子のｓｆ−  ＭｅｄｉｕｍをＱｈｙｓｔに追加する。
【０１４０】
−システム情報上に伝送されれば、Ｅ−ＵＴＲＡＮセルはＴｒｅｓｅｌｅｃｔｉｏｎＥＵＴＲＡにＴｒｅｓｅｌｅｃｔｉｏｎＥＵＴＲＡに対する速度依存スケーリング因子のｓｆ−  Ｍｅｄｉｕｍを掛ける。
【０１４１】
−システム情報上に伝送されれば、ＵＴＲＡＮセルはＴｒｅｓｅｌｅｃｔｉｏｎＵＴＲＡにＴｒｅｓｅｌｅｃｔｉｏｎＵＴＲＡに対する速度依存スケーリング因子のｓｆ−  Ｍｅｄｉｕｍを掛ける。
【０１４２】
−システム情報上に伝送されれば、ＧＥＲＡＮセルはＴｒｅｓｅｌｅｃｔｉｏｎＧＥＲＡにＴｒｅｓｅｌｅｃｔｉｏｎＧＥＲＡに対する速度依存スケーリング因子のｓｆ−  Ｍｅｄｉｕｍを掛ける。
【０１４３】
−システム情報上に伝送されれば、ＣＤＭＡ２０００  ＨＲＰＤセルはＴｒｅｓｅｌｅｃｔｉｏｎＣＤＭＡ＿ＨＲＰＤにＴｒｅｓｅｌｅｃｔｉｏｎＣＤＭＡ＿ＨＲＰＤに対する速度依存スケーリング因子のｓｆ−  Ｍｅｄｉｕｍを掛ける。
【０１４４】
−システム情報上に伝送されれば、ＣＤＭＡ２０００  １ｘＲＴＴセルはＴｒｅｓｅｌｅｃｔｉｏｎＣＤＭＡ＿１ｘＲＴＴにＴｒｅｓｅｌｅｃｔｉｏｎＣＤＭＡ＿１ｘＲＴＴに対する速度依存スケーリング因子のｓｆ−Ｍｅｄｉｕｍを掛ける。
【０１４５】
スケーリングがＴｒｅｓｅｌｅｃｔｉｏｎＲＡＴパラメータに適用される場合、端末は、最短時間内に全てのスケーリング後の結果を集める。
【０１４６】
ここで、セル予約及び接近制約を有するか、正常な進入に不適当なセルについて論議する。
【０１４７】
絶対優先順位再選択の基準によって、最善のセルに対するセル再選択の基準による最高ランキングセル（サービングセルを含む）に対し、端末は規則に従って接近が制限されるか否かを検査する。
【０１４８】
該当セルと他のセルが候補リストから除外されると、端末はこのようなセルをセル再選択の候補として考慮しない。このような制限は最高ランキングのセルが変更されると除去される。
【０１４９】
絶対優先順位再選択規則に従って最高ランキングセルまたは最善のセルが「ローミングに対して禁止されたＴＡｓリスト」の一部であるか、登録されたＰＬＭＮに同等であると指示されていないＰＬＭＮに含まれるため適当ではない周波数内または周波数間のセルであれば、端末は、同一な周波数上の該当セル及び他のセルを最大３００ｓの間再選択の候補として見なさない。端末が所定のセル選択を開始すれば、如何なる制限も除去される。端末がＥ−ＵＴＲＡＮの制御下にタイマーが作動する周波数に制限されれば、該当周波数に対する如何なる制限も除去される。
【０１５０】
絶対優先順位再選択規則に従って最高ランキングセルまたは最善のセルが「ローミングに対して禁止されたＴＡｓリスト」の一部であるか、登録されたＰＬＭＮに同等であると指示されていないＰＬＭＮに含まれるため適当ではないＲＡＴ間のセルであれば、端末は、同一な周波数上の該当セル及び他のセルを最大３００ｓの間再選択の候補として見なさない。ＵＴＲＡの場合、より多くの要求事項が［８］に定義される。端末が所定のセル選択を開始すれば、如何なる制限も除去される。端末がＥ−ＵＴＲＡＮの制御下にタイマーが作動する周波数に制限されれば、該当周波数に対する如何なる制限も除去される。
【０１５１】
絶対優先順位再選択規則に従って最高ランキングセルまたは最善のセルがＣＳＧ  ＩＤ及び端末のＣＳＧホワイトリストに存在しない関連ＰＬＭＮ  ＩＤのため適当ではないＣＳＧセルであれば、端末は、同一な周波数上の該当セルを再選択の候補として見なさないが、同一な周波数上の他のセルをセル再選択の候補として見なし続ける。
【０１５２】
ここで、Ｅ−ＵＴＲＡＮ周波数間及びＲＡＴ間のセル再選択基準を説明する。
【０１５３】
ＴｈｒｅｓｈＳｅｒｖｉｎｇＬｏｗＱがＳｙｓｔｅｍＩｎｆｏｒｍａｔｉｏｎＢｌｏｃｋＴｙｐｅ３に提供されれば、次のような場合に、サービング周波数よりもさらに高い優先順位のＥ−ＵＴＲＡＮ周波数またはＲＡＴ間周波数上のセルのセル再選択が行われる。
【０１５４】
−さらに高い優先順位ＥＵＴＲＡＮ  ｏｒ  ＵＴＲＡＮ  ＦＤＤ  ＲＡＴ／周波数のセルは、ＴｒｅｓｅｌｅｃｔｉｏｎＲＡＴの時間区間の間Ｓｑｕａｌ＞ＴｈｒｅｓｈＸ、ＨｉｇｈＱを満たすか、
−さらに高い優先順位ＵＴＲＡＮ  ＴＤＤ、ＧＥＲＡＮ  ｏｒ  ＣＤＭＡ２０００  ＲＡＴ／周波数のセルは、ＴｒｅｓｅｌｅｃｔｉｏｎＲＡＴの時間区間の間Ｓｒｘｌｅｖ＞ＴｈｒｅｓｈＸ、ＨｉｇｈＰを満たし、
−端末が現在のサービングセルに進入した後、１秒以上経過する。
【０１５５】
そうでなければ、次のような場合に、サービング周波数よりもさらに高い優先順位のＥ−ＵＴＲＡＮ周波数またはＲＡＴ間周波数上のセルのセル再選択が行われる。
【０１５６】
−さらに高い優先順位ＲＡＴ／周波数のセルは、ＴｒｅｓｅｌｅｃｔｉｏｎＲＡＴの時間区間の間Ｓｒｘｌｅｖ＞ＴｈｒｅｓｈＸ、ＨｉｇｈＰを満たし、
−端末が現在のサービングセルに進入した後、１秒以上経過する。
【０１５７】
同等な優先順位のＥ−ＵＴＲＡＮ周波数上のセルのセル再選択は、周波数内セル再選択に対するランキングに基づいて行われる。
【０１５８】
ＴｈｒｅｓｈＳｅｒｖｉｎｇＬｏｗＱがＳｙｓｔｅｍＩｎｆｏｒｍａｔｉｏｎＢｌｏｃｋＴｙｐｅ３に提供されれば、次のような場合に、サービング周波数よりもさらに低い優先順位のＥ−ＵＴＲＡＮ周波数またはＲＡＴ間周波数上のセルのセル再選択が行われる。
【０１５９】
−サービングセルはｆｕｌｆｉｌｓ  Ｓｑｕａｌ＜ＴｈｒｅｓｈＳｅｒｖｉｎｇ、ＬｏｗＱを満たし、さらに低い優先順位ＥＵＴＲＡＮ  ｏｒ  ＵＴＲＡＮ  ＦＤＤ  ＲＡＴ／周波数のセルはＴｒｅｓｅｌｅｃｔｉｏｎＲＡＴの時間区間の間Ｓｑｕａｌ＞ＴｈｒｅｓｈＸ、ＬｏｗＱを満たし、
−サービングセルはｆｕｌｆｉｌｓ  Ｓｑｕａｌ＜ＴｈｒｅｓｈＳｅｒｖｉｎｇ、ＬｏｗＱを満たし、さらに低い優先順位ＵＴＲＡＮ  ＴＤＤ、ＧＥＲＡＮ  ｏｒ  ＣＤＭＡ２０００  ＲＡＴ／周波数のセルはＴｒｅｓｅｌｅｃｔｉｏｎＲＡＴの時間区間の間Ｓｒｘｌｅｖ＞ＴｈｒｅｓｈＸ、ＬｏｗＰを満たし、
−端末が現在のサービングセルに進入した後、１秒以上経過する。
【０１６０】
そうでなければ、次のような場合に、サービング周波数よりもさらに低い優先順位のＥ−ＵＴＲＡＮ周波数またはＲＡＴ間周波数上のセルのセル再選択が行われる。
【０１６１】
−サービングセルはｆｕｌｆｉｌｓ  Ｓｒｘｌｅｖ＜ＴｈｒｅｓｈＳｅｒｖｉｎｇ、ＬｏｗＰを満たし、さらに低い優先順位ＲＡＴ／周波数のセルはＴｒｅｓｅｌｅｃｔｉｏｎＲＡＴの時間区間の間Ｓｒｘｌｅｖ＞ＴｈｒｅｓｈＸ、ＬｏｗＰを満たし、
−端末が現在のサービングセルに進入した後、１秒以上経過する。
【０１６２】
互いに異なる優先順位の多数のセルがセル再選択基準を満たせば、さらに高い優先順位のＲＡＴ／周波数に対するセル再選択は、さらに低い優先順位のＲＡＴ／周波数に優先する。
【０１６３】
ｃｄｍａ２０００  ＲＡＴｓに関し、Ｓｒｘｌｅｖは、評価されたセルから測定された値を参照したＥｃ／Ｉｏを使用して、［１８］に定義されたように０．５ｄＢ単位の−ＦＬＯＯＲ（−２ｘ１０ｘｌｏｇ１０  Ｅｃ／Ｉｏ）と同等である。
【０１６４】
ｃｄｍａ２０００  ＲＡＴｓに関し、ＴｈｒｅｓｈＸ、ＨｉｇｈＰ及びＴｈｒｅｓｈＸ、ＬｏｗＰは、システム情報内の該当パラメータに対してシグナリングされた値の−１倍と同等である。
【０１６５】
上記のモード基準において、ＴｒｅｓｅｌｅｃｔｉｏｎＲＡＴの値は、５．２．４．３．１項に定義されたように端末が中間または高い移動性状態にある際に測定される。１つ以上のセルが上記の基準を満たせば、端末は次のようにセルを再選択する。
【０１６６】
−さらに高い優先順位の周波数がＥ−ＵＴＲＡＮ周波数であれば、最高の優先順位周波数上において、セルのうち最善のセルとしてランクされたセルは基準を満たす。
【０１６７】
−さらに高い優先順位の周波数が他のＲＡＴから生成された場合、最高の優先順位周波数上において、セルのうち最善のセルとしてランクされたセルは該当ＲＡＴの基準を満たす。
【０１６８】
端末が支援するシステム情報によって提供された全ての他のＲＡＴからのＥ−ＵＴＲＡＮにＳｑｕａｌ（ＲＳＲＱ）基盤セル再選択を支援すれば、Ｓｑｕａｌ基盤セル再選択パラメータがシステム情報でブロードキャストされる他のＲＡＴに対するセル再選択が行われる。そうでなければ、他のＲＡＴに対するセル再選択はＳｒｘｌｅｖ基準を基に行われる。
【０１６９】
ここで、イントラ周波数及び同等優先順位周波数間セル再選択基準を説明する。
【０１７０】
サービングセルに対するセルランキング基準Ｒｓ及び隣り合うセルに対するセルランキング基準Ｒｎは、次のように定義される。
【０１７１】
【数２】
2016521086.tif 000005
【０１７２】
【表２】
2016521086.tif 000006
【０１７３】
端末は、セル選択基準（Ｓ）を満たす全てのセルのランキングを行うが、許容しない端末によって知られた全てのＣＳＧセルを除くことができる。
【０１７４】
セルは、Ｑｍｅａｓ、ｎ及びＱｍｅａｓ、ｓを引き出して平均化したＲＳＲＰ結果を使用したＲ値を計算して、上記明示されたＲ基準によってランクされる。
【０１７５】
セルが最善のセルとしてランクされれば、端末はセルに対するセル再選択を行う。該当セルが適当ではないと発見されれば、端末は上記論議された動作を行う。
【０１７６】
全ての場合に、次のような条件を満足さえすれば、端末は新たなセルを再選択する。
【０１７７】
−新たなセルは、ＴｒｅｓｅｌｅｃｔｉｏｎＲＡＴの時間区間の間、サービングセルよりもさらに高くランクされる。
【０１７８】
−端末が現在のサービングセルに進入した後、１秒以上経過する。
【０１７９】
ここで、システム情報でブロードキャストされたセル再選択パラメータを論議する。
【０１８０】
セル再選択パラメータは、次のようにシステム情報でブロードキャストされ、サービングセルから読み取られる。
【０１８１】
【表３】
2016521086.tif 000007
【０１８２】
下記の表４は、上記のような速度依存再選択パラメータを表す。端末の移動性状態は速度依存再選択パラメータに基づいて推定されることができ、速度依存スケーリング規則は端末の移動性状態に基づいて適用されることができる。
【０１８３】
【表４】
2016521086.tif 000008
【０１８４】
ここで、ＣＳＧセルを用いたセル再選択を論議する。
【０１８５】
第１に、非ＣＳＧセルからＣＳＧセルへのセル再選択は、下記のように説明される。
【０１８６】
正常なセル再選択だけでなく、端末は、関連ＰＬＭＮ  ＩＤを有する少なくとも１つのＣＳＧ  ＩＤがＵＥのＣＳＧホワイトリストに含まれれば、［１０］に明示された性能要求事項に従ってＲＡＴ間周波数を含む非サービング周波数上の少なくとも予め訪問が許されたＣＳＧセルを探知する自律的な検索機能を使用する。端末はまた、サービング周波数上で自律的な検索を使用することができる。端末は、端末のホワイトリストが空いていれば、ＣＳＧセルに対する自律的な検索機能を非活性化する。
【０１８７】
端末具現当たりの端末自律的な検索機能は、いつ、そして／またはどこで許されたＣＳＧセルを検索するかを決定する。
【０１８８】
端末は、他の周波数上で１つ以上の適当なＣＳＧセルを探知すると、関連ＣＳＧセルが該当周波数上で最も高くランクされたセルである場合、その時に端末は現在進入したセルの周波数優先順位に関係なく探知されたセルのうち１つを再選択する。
【０１８９】
端末は、同一な周波数上で適当なＣＳＧセルを探知すると、端末は正常な再選択規則に従って該当セルを再選択する。
【０１９０】
端末は、他のＲＡＴ上に１つ以上の適当なＣＳＧセルを探知すると、端末はこれらのうち１つを再選択する。
【０１９１】
第２に、ＣＳＧセルからのセル再選択は、下記のように説明される。
【０１９２】
適当なＣＳＧセルに進入する間、端末は、正常なセル再選択規則を適用する。
【０１９３】
非サービング周波数上の適当なＣＳＧセルを検索するため、端末は自律的な検索機能を使用することができる。端末が非サービング周波数上でＣＳＧセルを探知すると、端末は、ＣＳＧセルがその周波数上で最も高くランクされたセルである場合、探知されたＣＳＧセルを再選択することができる。
【０１９４】
端末は、他のＲＡＴ上に１つ以上の適当なＣＳＧセルを探知すると、端末はこれらのうち１つを再選択する。
【０１９５】
第３に、複合セルを用いたセル再選択は、下記のように説明される。
【０１９６】
正常なセル再選択だけでなく、端末は、性能要求事項によってＣＳＧ  ＩＤと関連ＰＬＭＮ  ＩＤがＵＥの  ＣＳＧホワイトリストにある少なくとも予め訪問複合セルを探知する自律的な検索機能を使用する。端末は、複合セルのＣＳＧ  ＩＤ及び関連ＰＬＭＮ  ＩＤが端末のＣＳＧホワイトリストに存在すればＣＳＧセルとして、そうでなければ正常セルとして探知された複合セルを処理する。
【０１９７】
図７ａ及び７ｂは、イントラＭＭＥ／サービングゲートウェイのハンドオーバ手順を示す。
【０１９８】
ＲＲＣ＿ＣＯＮＮＥＣＴＥＤ状態において、端末のイントラＥ−ＵＴＲＡＮ  ＨＯは端末関連ネックワーク−制御ＨＯであり、Ｅ−ＵＴＲＡでＨＯ準備シグナリングを有する。
−ＨＯ命令の一部はターゲットｅＮＢから来て、ソースｅＮＢによって端末に透明にフォワードされる。
−ＨＯを準備するため、ソースｅＮＢは全ての必要な情報をターゲットｅＮＢ（例えば、Ｅ−ＲＡＢ属性及びＲＲＣコンテキスト）に通過させる。
−ＣＡがターゲットｅＮＢでＳＣｅｌｌ選択のできるように構成された場合、ソースｅＮＢは最上のセルのリストで無線品質及び選択的測定結果を降順で提供することができる。
−ソースｅＮＢと端末の何れも一部のコンテキスト（例えば、Ｃ−ＲＮＴＩ）を維持することで、ＨＯ失敗の場合に端末の復帰を可能にする。
−端末は、専用ＲＡＣＨプリアンブルを用いた無競争手順、または、専用ＲＡＣＨプリアンブルを使用することができなければ、競争基盤手順によるＲＡＣＨを経由して対象セルにアクセスする。
−端末は、ハンドオーバ手順が完了するまで（成功有無に関係なく）専用プリアンブルを使用する。
−ターゲットセルに対するＲＡＣＨ手順が一定時間以内に成功しなければ、端末は適切なセルを使用して無線リンク誤謬復旧を初期化する。
−何れのＲＯＨＣコンテキストもハンドオーバで伝達されない。
−ＲＯＨＣコンテキストは、同一なｅＮＢ内においてハンドオーバで維持されることができる。
【０１９９】
ＨＯ手順の準備及び実行ステップはＥＰＣの係わりなしに行われ、例えば、準備メッセージは直接ｅＮＢ間で交換される。ＨＯ完成ステップの際、ソース側における資源の解除はｅＮＢによってトリガされる。ＲＮが係わる場合、そのＤｅＮＢは、ＲＮとＭＭＥ（Ｓ１基盤のハンドオーバ）との間の適切なＳ１メッセージ及び、ＲＮと対象ｅＮＢ（Ｘ２基盤のハンドオーバ）との間のＸ２メッセージをリレーし；ＤｅＮＢは、Ｓ１プロキシ及びＸ２プロキシ機能によってＲＮに連結された端末に明示的に認識される。
【０２００】
そこで、図６を参照しながら、ＭＭＥでもサービングゲートウェイでもない基本ハンドオーバシナリオを説明することとする。
【０２０１】
ステップ０）ソースｅＮｏｄｅＢ（ｅＮＢ）内の端末コンテキストは、連結設定や最後のＴＡアップデートに提供されたローミング制限に関する情報を含めている。
【０２０２】
ステップ１）ソースｅＮｏｄｅＢ領域制限情報による端末測定手順を構成する。ソースｅＮｏｄｅＢによって提供された測定は、端末の連結移動性を制御する機能を支援することができる。
【０２０３】
ステップ２）測定レポート（ＭＥＡＳＵＲＥＭＥＮＴ  ＲＥＰＯＲＴ）は、トリガされてｅＮｏｄｅＢに伝送される。
【０２０４】
ステップ３）ソースｅＮｏｄｅＢは、測定レポート及びＲＲＭ情報に基づいて決定を出し、端末をハンドオフさせる。
【０２０５】
ステップ４）ソースｅＮｏｄｅＢは、必要な情報を伝達する対象ｅＮｏｄｅＢにハンドオーバ要求（ＨＡＮＤＯＶＥＲ  ＲＥＱＵＥＳＴ）メッセージを発行して、対象側（ソースｅＮｏｄｅＢでＵＥ  Ｘ２シグナリングコンテキストレファレンス、ＵＥ  Ｓ１  ＥＰＣコンテキストレファレンス、対象セルＩＤ、ＫｅＮｏｄｅＢ  ＊、ソースｅＮｏｄｅＢ内で端末のＣ−ＲＮＴＩを含むＲＲＣコンテキスト、ＡＳ−構成、Ｅ−ＲＡＢコンテキスト及びソースセルの物理層ＩＤ＋可能なＲＬＦ復旧のための短いＭＡＣ−Ｉ）にＨＯを準備させる。ＵＥ  Ｘ２／ＵＥ  Ｓ１シグナリングレファレンスは対象ｅＮｏｄｅＢにソースｅＮｏｄｅＢ及びＥＰＣをアドレスさせる。Ｅ−ＲＡＢコンテキストは、必要ＲＮＬ及びＴＮＬアドレス情報及びＥ−ＲＡＢのＱｏＳプロファイルを含む。
【０２０６】
ステップ５）許容制御（Ａｄｍｉｓｓｉｏｎ  Ｃｏｎｔｒｏｌ）は、受信されたＥ−ＲＡＢ  ＱｏＳ情報に応じて対象ｅＮｏｄｅＢにより行われ、もし資源が対象ｅＮｏｄｅＢによって与えられることができれば、成功裏に終わるＨＯの可能性を高くすることができる。対象ｅＮｏｄｅＢは受信されたＥ−ＲＡＢ  ＱｏＳ情報によって要求される資源をなし、Ｃ−ＲＮＴＩ及び任意にＲＡＣＨプリアンブルを保有する。対象セルに使用されるＡＳ−構成は独立して指定（即ち、「設定」）されるか、ソースセルで使用されるＡＳ−構成に比べてデルタに指定（即ち、「再構成」）されることができる。
【０２０７】
ステップ６）対象ｅＮｏｄｅＢ  Ｌ１／Ｌ２でＨＯを準備し、ハンドオーバ要求確認（ＨＡＮＤＯＶＥＲ  ＲＥＱＵＥＳＴ  ＡＣＫＮＯＷＬＥＤＧＥ）をソースｅＮｏｄｅＢに伝送する。ハンドオーバ要求確認メッセージはＲＲＣメッセージであって、端末に送られる透明コンテナを含めてハンドオーバを行う。コンテナは、新たなＣ−ＲＮＴＩ、選択された保安アルゴリズムの対象ｅＮｏｄｅＢ保安アルゴリズム識別子を含み、専用ＲＡＣＨプリアンブル及びアクセスパラメータ、ＳＩＢのようなできるだけ異なるパラメータを含むことができる。ハンドオーバ要求確認メッセージは、必要に応じてフォワーディングトンネルに対するＲＮＬ／ＴＮＬ情報も含むことができる。
【０２０８】
ソースｅＮｏｄｅＢがハンドオーバ要求確認を受信するか、ハンドオーバ命令の伝送がダウンリンクで初期化されると直ぐにデータフォワーディングは初期化されることができる。
【０２０９】
ステップ７）対象ｅＮｏｄｅＢ  ＲＲＣメッセージを生成してハンドオーバ、ｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージをソースｅＮｏｄｅＢによって端末に伝送する。ソースｅＮｏｄｅＢは、必要な無欠性保護及びメッセージの暗号化を行う。端末は、必要パラメータ（即ち、新たなＣ−ＲＮＴＩ、対象ｅＮｏｄｅＢ保安アルゴリズム識別子、及び任意に専用ＲＡＣＨプリアンブル、対象ｅＮｏｄｅＢ  ＳＩＢなど）でＲＲＣＣｏｎｎｅｃｔｉｏｎＲｅｃｏｎｆｉｇｕｒａｔｉｏｎメッセージを受信し、ソースｅＮｏｄｅＢが指揮してＨＯを行う。端末は、ソースｅＮｏｄｅＢにＨＡＲＱ／ＡＲＱ応答を伝達するためのハンドオーバ実行を遅延する必要がない。
【０２１０】
ステップ８）ソースｅＮｏｄｅＢは、ＳＮ  ＳＴＡＴＵＳ  ＴＲＡＮＳＦＥＲメッセージを対象ｅＮｏｄｅＢに伝送することで、アップリンクＰＤＣＰ  ＳＮ受信機の状態及びＰＤＣＰ状態保存が適用されるＥ−ＲＡＢのダウンリンクＰＤＣＰ  ＳＮ送信機の状態を伝達する（即ち、ＲＬＣ  ＡＭ）。アップリンクＰＤＣＰ  ＳＮ受信機の状態は第１ミッシングＵＬ  ＳＤＵの少なくともＰＤＣＰ  ＳＮを含み、ＵＥに任意のＳＤＵが存在する場合、ＵＥが対象セルで再伝送しなければならないシーケンスＵＬ  ＳＤＵ以外の受信状態のビットマップを含むことができる。ダウンリンクＰＤＣＰ  ＳＮ送信機の状態が、対象ｅＮｏｄｅＢが未だＰＤＣＰ  ＳＮを有しない新規ＳＤＵに割り当てる次のＰＤＣＰ  ＳＮを示す。ソースｅＮｏｄｅＢは、端末のＥ−ＲＡＢのうち１つもＰＤＣＰ状態保存に処理されることができない際、このメッセージの送信を省略することができる。
【０２１１】
ステップ９）ｍｏｂｉｌｉｔｙＣｏｎｔｒｏｌＩｎｆｏｒｍａｔｉｏｎを含むＲＲＣＣｏｎｎｅｃｔｉｏｎＲｅｃｏｎｆｉｇｕｒａｔｉｏｎメッセージを受信した後、端末は対象ｅＮｏｄｅＢとの同期化を行い、専用プリアンブルがｍｏｂｉｌｉｔｙＣｏｎｔｒｏｌＩｎｆｏｒｍａｔｉｏｎに表示される場合は非競争手順によって、または、専用プリアンブルが表記されない場合は競争基盤手順によって、ＲＡＣＨを通じて対象セルにアクセスする。端末は対象ｅＮｏｄｅＢ特定キーを導出し、対象セルで使用される選択された保安アルゴリズムを構成する。
【０２１２】
ステップ１０）対象ｅＮｏｄｅＢは、ＵＬ割り当て及びタイミングアドバンスに応答する。
【０２１３】
ステップ１１）端末が成功裏に対象セルにアクセスする際、端末は、できる度にアップリンクバッファ状態のレポートと共に、ハンドオーバを確認するためにＲＲＣＣｏｎｎｅｃｔｉｏｎＲｅｃｏｎｆｉｇｕｒａｔｉｏｎＣｏｍｐｌｅｔｅメッセージ（Ｃ−ＲＮＴＩ）を伝送することで、ハンドオーバ手順が端末に対して完了したことを対象ｅＮｏｄｅＢに示す。対象ｅＮｏｄｅＢは、ＲＲＣＣｏｎｎｅｃｔｉｏｎＲｅｃｏｎｆｉｇｕｒａｔｉｏｎＣｏｍｐｌｅｔｅメッセージから伝送されたＣ−ＲＮＴＩを確認する。対象ｅＮｏｄｅＢはこれより端末にデータの伝送を開始することができる。
【０２１４】
ステップ１２）対象ｅＮｏｄｅＢは、ＵＥがセルを変更したことを知らせるためにＭＭＥにＰＡＴＨ  ＳＷＩＴＣＨ  ＲＥＱＵＥＳＴメッセージを伝送する。
【０２１５】
ステップ１３）ＭＭＥは、サービングゲートウェイにＭＯＤＩＦＹ  ＢＥＡＲＥＲ  ＲＥＱＵＥＳＴメッセージを伝送する。
【０２１６】
ステップ１４）サービングゲートウェイは、対象側に対するダウンリンクデータ経路を変換する。サービングゲートウェイは、ソースｅＮｏｄｅＢに以前経路上の１つ以上の「エンドマーカ」パケットを伝送した後、何れかのＵ−ｐｌａｎｅ／ＴＮＬ資源をソースｅＮｏｄｅＢに解除することができる。
【０２１７】
ステップ１５）サービングゲートウェイは、ＭＭＥにＭＯＤＩＦＹ  ＢＥＡＲＥＲ  ＲＥＳＰＯＮＳＥメッセージを伝送する。
【０２１８】
ステップ１６）ＭＭＥは、ＰＡＴＨ  ＳＷＩＴＣＨ  ＲＥＱＵＥＳＴ  ｍｅｓｓａｇｅを  ＰＡＴＨ  ＳＷＩＴＣＨ  ＲＥＱＵＥＳＴ  ＡＣＫＮＯＷＬＥＤＧＥで確認する。
【０２１９】
ステップ１７）ＵＥ  ＣＯＮＴＥＸＴ  ＲＥＬＥＡＳＥメッセージを伝送することで、対象ｅＮｏｄｅＢはソースｅＮｏｄｅＢにＨＯの成功を知らせ、ソースｅＮｏｄｅＢによる資源の解除をトリガする。対象ｅＮｏｄｅＢは、ＰＡＴＨ  ＳＷＩＴＣＨ  ＲＥＱＵＥＳＴ  ＡＣＫＮＯＷＬＥＤＧＥメッセージがＭＭＥから受信された後でこのメッセージを伝送する。
【０２２０】
ステップ１８）ＵＥ  ＣＯＮＴＥＸＴ  ＲＥＬＥＡＳＥメッセージを受信すると、ソースｅＮｏｄｅＢは、ＵＥコンテキストと関連した無線及びＣ−ｐｌａｎｅ関連資源を解除することができる。進行中のデータフォワーディングが続けられることができる。
【０２２１】
Ｘ２ハンドオーバがＨｅＮｏｄｅＢに係わって使用される場合及びソースＨｅＮｏｄｅＢがＨｅＮｏｄｅＢ  ＧＷに連結される場合、ＨｅＮｏｄｅＢ  ＧＷ明示コンテキスト解除表示を含めてＵＥコンテキストに係わる全ての資源を解除することができることを示すため、明示的にＧＷコンテキスト解除指示を含むＵＥ  ＣＯＮＴＥＸＴ  ＲＥＬＥＡＳＥ  ＲＥＱＵＥＳＴメッセージがソースＨｅＮｏｄｅＢによって伝送される。
【０２２２】
ここで、Ｕ−ｐｌａｎｅ処理を下記に説明する。
【０２２３】
ＥＣＭに連結されたＵＥに対するイントラ−Ｅ−ＵＴＲＡＮアクセス移動性作動の際、Ｕ−ｐｌａｎｅ処理は、ＨＯの間、データの損失を避けるため、アカウントに次のような原則を取る。
【０２２４】
−ＨＯ準備の間、Ｕ−ｐｌａｎｅトンネルは、ソースｅＮｏｄｅＢと対象ｅＮｏｄｅＢとの間に設定されることができる。アップリンクデータフォワーディングのために設定された１つのトンネルと、データフォワーディングが適用される各Ｅ−ＲＡＢに対するダウンリンクデータフォワーディングのために設定された他のトンネルとがある。ハンドオーバを行うＲＮ下のＵＥの場合には、フォワーディングトンネルがＤｅＮｏｄｅＢを通じてＲＮと対象ｅＮｏｄｅＢとの間に確立されることができる。
【０２２５】
−ＨＯ実行の間、ユーザデータはソースｅＮｏｄｅＢから対象ｅＮｏｄｅＢにフォワードされることができる。フォワーディングは、サービス及び展開依存並びに具現固有の方法で行われることができる。
【０２２６】
−ソースから対象ｅＮｏｄｅＢへのダウンリンクユーザデータのフォワーディングは、パケットがＥＰＣからソースｅＮｏｄｅＢで受信されるか、ソースｅＮｏｄｅＢバッファが空けられない限り、順に行われなければならない。
【０２２７】
−ＨＯ完了の際、
−対象ｅＮｏｄｅＢは、ＰＡＴＨ  ＳＷＩＴＣＨメッセージをＭＭＥに伝送することで、端末がアクセスを得たことを知らせ、ＭＭＥは、ＭＯＤＩＦＹ  ＢＥＡＲＥＲ  ＲＥＱＵＥＳＴメッセージをサービングゲートウェイに伝送し、Ｕ−ｐｌａｎｅ経路は、ソースｅＮｏｄｅＢから対象ｅＮｏｄｅＢにサービングゲートウェイによって変換される。
【０２２８】
−ソースｅＮｏｄｅＢは、パケットがサービングゲートウェイからソースｅＮｏｄｅＢで受信されるか、ソースｅＮｏｄｅＢバッファが空けられない限り、Ｕ−ｐｌａｎｅデータのフォワーディングを続けなければならない。
【０２２９】
ＲＬＣ−ＡＭベアラの場合、
−全体構成に係わらない正常ＨＯの際、
−インシーケンス伝達及び重複回避の際、ＰＤＣＰ  ＳＮはベアラ別で維持され、ソースｅＮｏｄｅＢは、次のＤＬ  ＰＤＣＰ  ＳＮに対する対象ｅＮｏｄｅＢを知らせることで（ソースｅＮｏｄｅＢまたはサービングゲートウェイから）未だＰＤＣＰシーケンス番号のないパケットに割り当てる。
【０２３０】
−保安同期化の際、ＨＦＮは維持され、ソースｅＮｏｄｅＢはＵＬに対する１つの基準及びＤＬ、即ち、ＨＦＮ及び対応するＳＮに対する１つの基準を対象セルに提供する。
【０２３１】
−端末及び対象ｅＮｏｄｅＢの全てにおいて、ウィンドウ基盤のメカニズムは重複検出のために必要である。
【０２３２】
−対象ｅＮｏｄｅＢにおける無線インターフェースを通じた重複の発生は、端末による対象ｅＮｏｄｅＢでのレポーティングに基づいたＰＤＣＰ  ＳＮを用いて最小化される。アップリンクにおいて、レポーティングは任意にｅＮｏｄｅＢによってベアラ別で構成され、端末が対象ｅＮｏｄｅＢに資源を与える際、先にそのレポートを伝送することによって開始する。ダウンリンクにおいて、ｅＮｏｄｅＢはベアラに対するレポートが伝送される時を決定しても良く、端末はアップリンク伝送を再開するレポートを待たない。
【０２３３】
−対象ｅＮｏｄｅＢは、受信が端末によるレポーティングを基にしたＰＤＣＰ  ＳＮを通じて認められたＰＤＣＰ  ＳＤＵを除き、ソースｅＮｏｄｅＢによってフォワードされた全てのダウンリンクＰＤＣＰ  ＳＤＵを再伝送し、優先順位を定める（即ち、対象ｅＮｏｄｅＢは、Ｓ１でデータを伝送する前にＸ２からＰＤＣＰ  ＳＮにデータを伝送する）。
【０２３４】
−端末は、受信がターゲットによってＰＤＣＰ  ＳＮ基盤報告を通じて認識されるＰＤＣＰ  ＳＤＵを除き、ターゲットｅＮｏｄｅＢＤで最終的に連続して確認されるＰＤＣＰ  ＳＤＵの次の第１ＰＤＣＰ  ＳＤＵ、例えば、ソースでＲＬＣ認識されな最も古いＰＤＣＰ  ＳＤＵから始まる全てのアップリンクＰＤＣＰ  ＳＤＵを再伝送する。
【０２３５】
−全体構成を含むＨＯの際、
−ＲＬＣ−ＵＭベアラに対する以下の説明は、ＲＬＣ−ＡＭベアラに適用される。データの損失が発生することもあり得る。
【０２３６】
ＲＬＣ−ＵＭベアラの場合、
−ＰＤＣＰ  ＳＮとＨＦＮとは、対象ｅＮｏｄｅＢで再設定される。
【０２３７】
−ＰＤＣＰ  ＳＤＵは、対象ｅＮｏｄｅＢで再伝送されない。
【０２３８】
−対象ｅＮｏｄｅＢは、任意の場合（即ち、対象ｅＮｏｄｅＢは、Ｓ１からデータを伝送する前にＸ２からＰＤＣＰ  ＳＮにデータを伝送する）、ソースｅＮｏｄｅＢによってフォワードされた全てのダウンリンクＰＤＣＰ  ＳＤＵの優先順位を定める。
【０２３９】
−ＵＥ  ＰＤＣＰエンティティは、送信がソースセルで完了した対象セルの全てのＰＤＣＰ  ＳＤＵの再伝送を図らない。それに代えて、ＵＥ  ＰＤＣＰエンティティは他のＰＤＣＰ  ＳＤＵとの伝送を開始する。
【０２４０】
その一方、ステップ４において、ソースｅＮｏｄｅＢから対象ｅＮｏｄｅＢに伝送されたＨＡＮＤＯＶＥＲ  ＲＥＱＵＥＳＴメッセージは、ＵＥ履歴情報を含むことができる。ＵＥ履歴情報は、以下の表のように対象ｅＮｏｄｅＢに先立って活性状態で提供されたセルに対する情報を含むことができる。
【０２４１】
【表５】
2016521086.tif 000009
【０２４２】
【表６】
2016521086.tif 000010
【０２４３】
最後訪問セル情報は、以下の表のようにＥ−ＵＴＲＡＮ、ＵＴＲＡＮ、またはＧＥＲＡＮセルの特定情報を含むことができる。
【０２４４】
【表７】
2016521086.tif 000011
【０２４５】
最後訪問Ｅ−ＵＴＲＡＮセル情報は、以下の表のようにＲＲＭ目的で使用されるセルに対する情報が含まれている。
【０２４６】
【表８】
2016521086.tif 000012
【０２４７】
このように、対象ｅＮｏｄｅＢは、ソースｅＮｏｄｅＢのみで最後訪問セル情報を獲得することができる。また、最後訪問セル情報は、数秒内に最後のセルに止まった連結モードで端末の持続時間のみを含む。従って、対象ｅＮｏｄｅＢは、ＵＥが短期間の間にハンドオーバ手順を何回行うか分かることができない。また、最後訪問セル情報はハンドオーバ前の最後のセルに対する情報のみを示すが、休止モードでＵＥによって行われるセル再選択手順に対する情報を示すことができない。これが問題である。
【０２４８】
図８は、端末情報報告手順を示す流れ図である。
【０２４９】
ｅＮｏｄｅＢ（２００）は、ＵＥ情報を獲得するためのＵＥ情報要求メッセージを  ＵＥ（１００ａ）に伝送する。
【０２５０】
次いで、ＵＥ（１００）は、ＵＥ情報応答メッセージをネットワークに伝送する。
【０２５１】
このように、ｅＮｏｄｅＢは、ＵＥ情報要求メッセージを伝送することで上記手順を開始することができる。
【０２５２】
ＵＥ情報要求メッセージを受信する際、ＵＥは次のように行う。
【０２５３】
−ＲＡＣＨ−ＲｅｐｏｒｔＲｅｑがｔｒｕｅに設定されている場合、ＵＥは、ＵＥ情報応答メッセージにＲＡＣＨ−レポートの内容を次のように設定することができる。そして、ＵＥが、最後に成功裏に完了した任意接続手順に対するＭＡＣによって伝送するためのプリアンブルの数を示すため、伝送されたプリアンブルの個数を設定することができる。
【０２５４】
ここで、競争解決は、最後に成功裏に完了したランダム接近手順に対する伝送されたプリアンブルのうち少なくとも１つに対して成功しなければ、端末は探知された競争はｔｒｕｅに設定することができる。しかし、競争解決が成功すれば、端末は探知された競争はｆａｌｓｅに設定することができる。
【０２５５】
−ＲＬＦ−ＲｅｐｏｒｔＲｅｑがｔｒｕｅに設定され、端末がＶａｒＲＬＦ−レポートで使用され得る無線リンク障害情報またはハンドオーバ失敗情報を有する場合及びＲＰＬＭＮがＶａｒＲＬＦ−レポートに保存されたＰＬＭＮ−ＩｄｅｎｔｉｔｙＬｉｓｔに含まれれば、端末はＥ−ＵＴＲＡの最後の無線リンクまたはハンドオーバ失敗後の経過した時間にＶａｒＲＬＦ−レポートにｔｉｍｅＳｉｎｃｅＦａｉｌｕｒｅを設定することができる。そして、端末は、ＶａｒＲＬＦ−レポートにＲＬＦ−レポートの値としてＵＥ情報応答メッセージのＲＬＦ−レポートを設定することができる。そして、端末は、下位層によって確認されたＵＥ情報応答メッセージを成功的に伝達した際、ＶａｒＲＬＦ−レポートでＲＬＦ−レポートを廃棄することができる。
【０２５６】
−ｃｏｎｎＥｓｔＦａｉｌＲｅｐｏｒｔＲｅｑはｔｒｕｅに設定され、端末はＶａｒＣｏｎｎＥｓｔＦａｉｌＲｅｐｏｒｔで接続確立失敗情報を有する場合及びＲＰＬＭＮがＶａｒＣｏｎｎＥｓｔＦａｉｌＲｅｐｏｒｔに保存されたＰＬＭＮ  Ｉｄｅｎｔｉｔｙが同一である場合、端末はＥ−ＵＴＲＡの最後の連結設定失敗後の経過した時間にＶａｒＣｏｎｎＥｓｔＦａｉｌＲｅｐｏｒｔにｔｉｍｅＳｉｎｃｅＦａｉｌｕｒｅを設定することができる。そして、端末は、ＶａｒＣｏｎｎＥｓｔＦａｉｌＲｅｐｏｒｔにｃｏｎｎＥｓｔＦａｉｌＲｅｐｏｒｔの値としてＵＥ情報応答メッセージにｃｏｎｎＥｓｔＦａｉｌＲｅｐｏｒｔを設定することができる。そして、端末は、下位層によって確認された端末情報応答メッセージを成功的に伝達した際、ｃｏｎｎＥｓｔＦａｉｌＲｅｐｏｒｔ  ｆｒｏｍ  ＶａｒＣｏｎｎＥｓｔＦａｉｌＲｅｐｏｒｔを廃棄することができる。
【０２５７】
−ｌｏｇＭｅａｓＲｅｐｏｒｔＲｅｑが存在し、ＲＰＬＭＮがＶａｒＬｏｇＭｅａｓＲｅｐｏｒｔに保存されたｐｌｍｎ−ＩｄｅｎｔｉｔｙＬｉｓｔに含まれれば、そして、ＶａｒＬｏｇＭｅａｓＲｅｐｏｒｔが１つ以上のログ（ｌｏｇ）された測定エントリを含めば、端末は端末情報応答メッセージにｌｏｇＭｅａｓＲｅｐｏｒｔの内容を設定することができる。より詳しくは、端末はａｂｓｏｌｕｔｅＴｉｍｅＳｔａｍｐを含めることができ、ＶａｒＬｏｇＭｅａｓＲｅｐｏｒｔでａｂｓｏｌｕｔｅＴｉｍｅＳｔａｍｐをａｂｓｏｌｕｔｅＴｉｍｅＩｎｆｏの値に設定することができる。そして、端末はｔｒａｃｅＲｅｆｅｒｅｎｃｅを含めることができ、ＶａｒＬｏｇＭｅａｓＲｅｐｏｒｔでｔｒａｃｅＲｅｆｅｒｅｎｃｅをｔｒａｃｅＲｅｆｅｒｅｎｃｅの値に設定することができる。そして、端末はｔｒａｃｅＲｅｃｏｒｄｉｎｇＳｅｓｓｉｏｎＲｅｆを含めることができ、ＶａｒＬｏｇＭｅａｓＲｅｐｏｒｔでｔｒａｃｅＲｅｃｏｒｄｉｎｇＳｅｓｓｉｏｎＲｅｆをｔｒａｃｅＲｅｃｏｒｄｉｎｇＳｅｓｓｉｏｎＲｅｆの値に設定することができる。そして、端末はｔｃｅ−Ｉｄを含めることができ、ＶａｒＬｏｇＭｅａｓＲｅｐｏｒｔでｔｃｅ−Ｉｄをｔｃｅ−Ｉｄの値に設定することができる。そして、端末はｌｏｇＭｅａｓＩｎｆｏＬｉｓｔを含めることができ、先にログされたエントリから始まるＶａｒＬｏｇＭｅａｓＲｅｐｏｒｔから１つ以上のエントリを含めるようｌｏｇＭｅａｓＩｎｆｏＬｉｓｔを設定することができる。ここで、ＶａｒＬｏｇＭｅａｓＲｅｐｏｒｔが端末情報応答メッセージ内にｌｏｇＭｅａｓＩｎｆｏＬｉｓｔに含まれていない１つ以上の追加のログされた測定エントリを含めば、端末はｌｏｇＭｅａｓＡｖａｉｌａｂｌｅを含めることができる。
【０２５８】
−ｌｏｇＭｅａｓＲｅｐｏｒｔが端末情報応答に含まれれば、端末はＳＲＢ２を経由した送信のために端末情報応答メッセージを下位層に伝送することができる。そして、端末は、下位層によって確認された端末情報応答メッセージを成功裏に伝達した際、ＶａｒＬｏｇＭｅａｓＲｅｐｏｒｔからｌｏｇＭｅａｓＩｎｆｏＬｉｓｔに含まれたログされた測定エントリを廃棄することができる。または、端末はＳＲＢ１を経由した送信のために端末情報応答メッセージを下位層に伝送することができる。
【０２５９】
このように、端末情報報告手順によって、無線リンク失敗を経験した端末は最終無線リンクの後に経過した時間を指示した時間情報を含む無線リンク失敗情報またはハンドオーバ失敗情報のみを報告することができる。しかし、端末情報報告手順は、アイドルモードの端末が行うセル再選択手順に対する情報を提供することができない。これが問題である。
【０２６０】
図９は、端末が複数のセルにおいてハンドオーバ手順を行う例示的な状況を示す。
【０２６１】
図９に示すように、アイドルモードの端末が複数のセルを通じて移動すると、端末はセル選択／再選択手順を行う。
【０２６２】
このような状況では、ネットワークが端末の速度を推定する必要がある。
【０２６３】
しかし、ネットワークがアイドルモードの端末が行ったセル再選択手順に対する如何なる情報も得られないため、ネットワークが端末の速度を推定する方法がない。
【０２６４】
そこで、本開示のうち１つは、端末が訪問セルに対する蓄積された情報である訪問セル履歴をログするようにし、ＲＲＣ連結設定の際、またはその後ネットワークに訪問セル履歴を提供することで、ネットワークが端末の速度を推定することを支援することができる。ネットワークが訪問セル履歴を基に端末の速度を計算した後、端末の速度を基に端末のパラメータを設定することができる。例えば、１つの開示によると、ＭＳＥが構成されれば、端末は、ＭＳＥが推定した移動性状態を報告することができる。また、端末は、訪問セル履歴の有効性の指示子を報告することができる。ネットワークが指示受信の際、ネットワークが訪問セル履歴を要求すれば、端末は訪問セル履歴を報告することができる。訪問セル履歴は、端末がアイドルである間に訪問したセルを含むことができる。訪問セル履歴は、訪問セルのセルＩＤを含むことができる。
【０２６５】
また、本開示のうち１つは、訪問セル履歴は、端末が各訪問セルで費やした時間情報を含むことを提案する。しかし、曖昧な問題、例えば、時間情報がどのように表現されるかに関する問題に直面する。この問題は他の曖昧な問題、例えば、訪問セル情報が現在のセルに対する情報を含むか否かに関する問題と関連され得る。例えば、一部の場合に、現在のセル情報はネットワークが端末の速度を推定するのに役立たない。しかし、他の場合に、現在のセル情報はネットワークが端末の速度を推定するのに役立つことができる。現在のセル情報が役立たない場合、訪問セル履歴は現在のサービングセルに対する情報を含むことができない。しかし、現在のセル情報が役立てる場合、訪問セル履歴は、訪問セルのように現在のサービングセルに対する情報を含むことができる。
【０２６６】
曖昧さを明確にするため、本開示は一部オプションを提案する。第１オプション（オプション１）は、時間情報がハンドオーバ／セル再選択の後で経過した時間を指示するようにする。第２オプション（オプション２）は、時間情報が端末が各セルに止まる時間を指示するようにする。
【０２６７】
第１オプション（オプション１）において、訪問セル履歴における各物理的セルＩＤは、端末がセルを選択した後、経過した時間と関連されることができる。各訪問セル別に、ハンドオーバ／セル再選択の観点で２つの経過時間が存在する。第１経過時間は、セルに進入した後で経過した時間であり、第２経過時間は、セルを離れた後で経過した時間である。そこで、第１オプションは２つのサブオプション（例えば、オプション１ａ及びオプション１ｂ）に分けることができる。第１サブオプション（オプション１ａ）において、物理的セルＩＤは進入時間に関連され得る。第２サブオプション（オプション１ｂ）において、物理的セルＩＤは離れる時間に関連され得る。
【０２６８】
第２オプション（オプション２）において、訪問セル履歴における各物理的セルＩＤは、端末がセルに止まる期間に関連され得る。
【０２６９】
以下、どのオプションが他のオプションよりも優れているかに対する研究を説明する。
【０２７０】
図９を参照すると、端末（１００）はアイドルモードであり、セルＥで連結モードになる。Ｔ０は端末（１００）がセルＡを選択した時点の絶対時間であり、Ｔ１はセルＢなどを選択した時点の絶対時間である。Ｔ５は端末（１００）が訪問セル履歴を設定した時点の絶対時間である。第１サブオプション（オプション１ａ）において、Ｔ５は参照時間として使用される。ここで、ネットワークが端末（１００）が明らかであることを通報しなくても全てのオプションでＴ５を概ね分かっている仮定することができる。そして、分析を単純化するため、訪問セル履歴がカバーするセルの個数であるＮが４であると仮定することもできる。
【０２７１】
その一、第１サブオプション（オプション１ａ）を考慮して、端末は以下のように訪問セル履歴を設定することができる。（Ｔ５−Ｔ０、Ａ）、（Ｔ５−Ｔ１、Ｂ）、（Ｔ５−Ｔ２、Ｃ）、（Ｔ５−Ｔ３、Ｄ）。
【０２７２】
端末がセル  Ａ、Ｂ、及びＣに止まる時間はそれぞれＴ１−Ｔ０、Ｔ２−Ｔ１、Ｔ３−Ｔ２及びＴ４−Ｔ３である。しかし、ネットワークは、セルＤの選択から経過した時間がＴ５−Ｔ３であることが分かっているはずである。そこで、最終エントリ（Ｔ５−Ｔ３、Ｄ）はネットワーク側で役立たないことがある。または、推定正確性が減少するはずである。
【０２７３】
そこで、第１サブオプション（オプション１ａ）によって、訪問セル情報が現在のサービングセル情報を含めずにＮ個の訪問セル情報が報告されると、ネットワークはＮ−１の正確な訪問セル情報及び不正確な最新訪問セル情報が分かるはずである。ここで、最新訪問情報が端末速度測定において最も重要であるということに注目する。そこで、第１サブオプション（オプション１ａ）が訪問セル履歴報告に使用されれば、現在のサービングセルは訪問セルとして考慮されなければならない。その後、訪問セル履歴は次の通りである。（Ｔ５−Ｔ１、Ｂ）、（Ｔ５−Ｔ２、Ｃ）、（Ｔ５−Ｔ３、Ｄ）、（Ｔ５−Ｔ４、Ｅ）。現在のセル情報が訪問セル履歴に含まれる理由が、ネットワークが端末がセルＥではなく最新訪問セルＤに止まる時間が分かるようにすることであることに注目しなければならない。
【０２７４】
または、第１サブオプション（オプション１ａ）によって、訪問セル情報が現在のサービングセル情報を含めてＮ個の訪問セル情報が報告されると、ネットワークは最新訪問セル情報を含むＮ−１の正確な訪問セル情報及び現在のサービングセル情報が分かるはずである。
【０２７５】
その二、第２サブオプション（オプション１ｂ）を考慮して、端末は下記のように訪問セル履歴を設定することができる。（Ｔ５−Ｔ１、Ａ）、（Ｔ５−Ｔ２、Ｂ）、（Ｔ５−Ｔ３、Ｃ）、（Ｔ５−Ｔ４、Ｄ）。この場合、Ｔ０なしに滞留期間を計算することは不可能であるため、ネットワークは端末（１００）がセルＡに止まる時間が分からない。そこで、１つ目のエントリの物理的セルＩＤは、ネットワーク側で役立たない情報である。（１つ目のエントリの時間情報は、端末がセルＢに留まる時間を計算するのに必要である。）
【０２７６】
訪問セル履歴は、現在のサービングセルに関する１つ以上の訪問セル情報を暗示的に含む。既に論議されたように、Ｔ５は参照時間であるだけであるので、端末（１００）は、明確にＴ５を通報しなくてもネットワークが全てのオプションでＴ５を概ね分かっていると仮定することができる。そこで、ネットワークは、端末（１００）がＴ５からＴ４を引いて現在のサービングセルに留まる時間が分かる。この場合、現在のサービングセル情報はネットワークが端末の速度を推定するのに役立たないこともある。
【０２７７】
そこで、第２サブオプション（オプション１ｂ）によって、Ｎ個の訪問セル情報が報告されると、ネットワークが最新訪問セル情報を含むＮ−１の正確な訪問セル情報と現在のサービングセル情報を分かることができる。
【０２７８】
その三、第２サブオプション（オプション２）を考慮して、端末（１００）は下記のように訪問セル履歴を設定することができる。（Ｔ１−Ｔ０、Ａ）、（Ｔ２−Ｔ１、Ｂ）、（Ｔ３−Ｔ２、Ｃ）、（Ｔ４−Ｔ３、Ｄ）。第２オプション（オプション２）において、ネットワークは端末（１００）がセルＡ、Ｂ、Ｃ及びＤに止まる正確な時間が分かる。しかし、ネットワークに絶対時間Ｔ４が分からないため、ネットワークは端末（１００）がそれの範疇に留まる時間が分からない。そこで、サービングセル情報が速度の推定に役立たないため、オプション２は最も効果的なフォーマットである。
【０２７９】
そこで、第２サブオプション（オプション２）によって、Ｎ個の訪問セル情報が報告されると、ネットワークが最新訪問セル情報を含むＮ個の正確な訪問セル情報が分かるはずである。
【０２８０】
結果的に、第２オプション（オプション２）は、訪問セル履歴の時間情報は端末が訪問セルに留まる時間を指示することが望ましい。
【０２８１】
その一方、現在のセル情報が如何に役立つかを説明する。言い換えれば、現在のサービングセルが訪問セルとして見なされれば、現在のサービングセルの時間情報は次のように定義されることができる。
【０２８２】
第２オプション（オプション２）によって、端末（１００）が現在のサービングセルに留まる時間は次のように表現されることができる。
【０２８３】
−端末が現在のサービングセルを選択した時間から参照時間までの期間。
【０２８４】
−参照時間は次のように定義することができる。
【０２８５】
−端末がＲＲＣ連結要求メッセージを構成したり、伝送する時間。
【０２８６】
−端末がＲＲＣ連結設定メッセージを受信する時間。
【０２８７】
−端末がＲＲＣ連結設定完了メッセージを構成したり、伝送する時間。
【０２８８】
−端末が端末情報要求メッセージを受信する時間。
【０２８９】
−端末がネットワークからの訪問セル情報を伝送するように要求する時間。
【０２９０】
−端末が端末情報応答メッセージを構成したり、伝送する時間。
【０２９１】
−端末が訪問セル情報を構成したり、伝送する時間。
【０２９２】
ここで、現在のサービングセルは、端末から訪問セル情報を報告されたセルを意味する。
【０２９３】
一方、第２サブオプション（オプション１ｂ）によって、現在のサービングセルの離れる時間は、次のように定義することができる。
【０２９４】
−端末がＲＲＣ連結要求メッセージを構成したり、伝送する時間。
【０２９５】
−端末がＲＲＣ連結設定メッセージを受信する時間。
【０２９６】
−端末がＲＲＣ連結設定完了メッセージを構成したり、伝送する時間。
【０２９７】
−端末が端末情報要求メッセージを受信する時間。
【０２９８】
−端末がネットワークからの訪問セル情報を伝送するように要求する時間。
【０２９９】
−端末が端末情報応答メッセージを構成したり、伝送する時間。
【０３００】
−端末が訪問セル情報を構成したり、伝送する時間。
【０３０１】
ここで、現在のサービングセルは訪問セルとして見なされる。
【０３０２】
また、訪問セル情報内の時間情報の基本単位は秒であり得る。
【０３０３】
図１０は、本発明による例示的な解決方法を示す。
【０３０４】
ステップ１）端末は、アイドル状態でセル（再）選択手順または連結状態でハンドオーバ手順を行う。
【０３０５】
ステップ２）その後、端末は訪問セル履歴を蓄積する。
【０３０６】
ステップ３）端末（１００）は、訪問セル履歴に対する要求を受信する。要求は端末情報要求メッセージに載せて伝達することができる。
【０３０７】
ステップ４）その後、端末（１００）は訪問セル履歴を伝送する。ここで、訪問セル履歴は端末情報応答メッセージに載せて伝達することができる。訪問セル履歴は、現在のセルに該当する時間情報を含むことができる。また、訪問セル履歴は、現在のセルの識別子をさらに含むことができる。時間情報は、端末が現在のセルで費やした時間を指示することができる。ここで、現在セルの識別子は訪問セルの識別子として見なされることができる。時間情報は、端末が要求メッセージを受信するまで費やした時間を指示することができる。現在のセルは１次セルであることができる。
【０３０８】
本開示によって従来の問題を解決する手段または方法は、これまで説明したようにハードウェアまたはソフトウェアまたはその組み合わせで具現されることができる。
【０３０９】
図１１は、本発明の実施形態を具現することができる無線通信システムを示すブロック図である。
【０３１０】
端末（１００）は、プロセッサ（１０１）、メモリ（１０２）及びＲＦ部（ｒａｄｉｏ  ｆｒｅｑｕｅｎｃｙ  ｕｎｉｔ、１２３０）を含む。メモリ（１０２）はプロセッサ（１０１）と連結され、プロセッサ（１０１）の動作のために使用された多様な情報を保存するように構成される。ＲＦ部（１２３０）はプロセッサ（１０１）と連結され、無線信号を送信及び／又は受信するように構成される。プロセッサ（１０１）は提案された機能、処理及び／又は方法を具現する。説明された実施形態において、端末の動作はプロセッサ（１０１）によって具現されることができる。
【０３１１】
ｅＮｏｄｅＢ（２００）は、プロセッサ（２０１）、メモリ（２０２）及びＲＦ部（２０３）を含む。メモリ（２０２）はプロセッサ（２０１）と連結され、プロセッサ（２０１）の動作のために使用された多様な情報を保存するように構成される。ＲＦ部（２０３）はプロセッサ（２０１）と連結され、無線信号を送信及び／又は受信するように構成される。プロセッサ（２０１）は提案された機能、処理及び／又は方法を具現する。説明された実施形態において、ｅＮｏｄｅＢの動作はプロセッサ（２０１）によって具現されることができる。
【０３１２】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、保存媒体及び／又は他の保存装置を含むことができる。ＲＦ部は、無線信号を処理するためのベースバンド回路を含むことができる。実施形態がソフトウェアに具現される際、上述した技法は上述した機能を行うモジュール（過程、機能など）に具現されることができる。モジュールはメモリに保存され、プロセッサによって実行されることができる。メモリはプロセッサ内部または外部にあり得、良く知られた多様な手段でプロセッサと連結されることができる。
【０３１３】
上述した例示的なシステムにおいて、方法は一連のステップまたはブロックとして流れ図を基に説明されているが、本発明はステップの手順に限定されるものではなく、何れかのステップは上述したことと異なる手順でまたは同時に発生することができる。また、当業者であれば、流れ図に示されたステップが排他的ではなく、他のステップが含まれるか、流れ図の１つまたはそれ以上のステップが本発明の範囲に影響を及ぼすことなく削除される可能性があることを理解することができるはずである。
【図１】
2016521086.tif 000013
【図２】
2016521086.tif 000014
【図３】
2016521086.tif 000015
【図４】
2016521086.tif 000016
【図５】
2016521086.tif 000017
【図６】
2016521086.tif 000018
【図７ａ】
2016521086.tif 000019
【図７ｂ】
2016521086.tif 000020
【図８】
2016521086.tif 000021
【図９】
2016521086.tif 000022
【図１０】
2016521086.tif 000023
【図１１】
2016521086.tif 000024
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
端末がアップリンクメッセージを送信する方法であって、
前記端末が訪問セル履歴に関する要求メッセージを受信するステップと、
前記端末が要求に応答して前記訪問セル履歴を送信するステップとを含み、
前記訪問セル履歴は現在のセルに対応する時間情報を含む、方法。
【請求項２】
前記訪問セル履歴は、前記現在のセルの識別子を含む、請求項１に記載の方法。
【請求項３】
前記時間情報は、前記端末が前記現在のセルで費やした時間を指示する、請求項１に記載の方法。
【請求項４】
前記現在のセルの識別子は、訪問セルの識別子と見なされる、請求項１に記載の方法。
【請求項５】
前記時間情報は、前記端末が前記要求メッセージを受信するまでに費やした時間を指示する、請求項１に記載の方法。
【請求項６】
前記現在のセルは、１次セルである、請求項１に記載の方法。
【請求項７】
アップリンクメッセージを伝送する無線装置であって、
訪問セル履歴に関する要求メッセージを受信するように構成された送受信機と、
前記送受信機が要求に応答して前記訪問セル履歴を送信するよう制御するように構成されたプロセッサとを含み、
前記訪問セル履歴は、現在のセルに対応する時間情報を含む、無線装置。
【請求項８】
前記訪問セル履歴は、前記現在のセルの識別子を含む、請求項７に記載の無線装置。
【請求項９】
前記時間情報は、端末が現在のセルで費やした時間を指示する、請求項７に記載の無線装置。
【請求項１０】
前記現在のセルの識別子は、訪問セルの識別子と見なされる、請求項７に記載の無線装置。
【請求項１１】
前記時間情報は、端末が要求メッセージを受信するまでに費やす時間を指示する、請求項７に記載の無線装置。
【請求項１２】
前記現在のセルは、１次セルである、請求項７に記載の無線装置。
【国際調査報告】
2016521086.tif 000025
2016521086.tif 000026
2016521086.tif 000027
2016521086.tif 000028
2016521086.tif 000029
2016521086.tif 000030
2016521086.tif 000031